(57)【要約】  テレビ高スループット（ＴＶＨＴ）帯域幅チャネルを介して通信を行うシステム及び方法が開示される。ＴＶＨＴパラメータを介しての通信の際に用いるための１つ以上の物理層パラメータの値も定義される。短フレーム間スペース（ＳＩＦＳ）時間は、６メガヘルツ（ＭＨｚ）又は７ＭＨｚ帯域幅チャネルに関しては１２０マイクロ秒（μｓ）であり、８ＭＨｚ帯域幅チャネルに関しては９０μｓである。それらのパラメータは、６ＭＨｚ又は７ＭＨｚ帯域幅チャネルに関しては１５μｓ、８ＭＨｚ帯域幅チャネルに関しては１１．２５μｓのクリアチャネルアセスメント（ＣＣＡ）時間も含む。（例えば、規格、例えば、米国電気電子学会（ＩＥＥＥ）８０２．１１ａｆに含めるための）追加のパラメータ、例えば、スペクトルフラット性制約事項の準拠、送信中心周波数公差、シンボルクロック周波数公差、送信機中心周波数漏れ、送信機コンステレーションエラー、及び非ＨＴ複製送信、も定義される。
2015528225.tif 000002
【特許請求の範囲】
【請求項１】
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関して１２０マイクロ秒（μｓ）の短フレーム間スペース（ＳＩＦＳ）時間を備える、方法。
【請求項２】
前記１つ以上のフレーム間タイミングパラメータは、１５μｓのクリアチャネルアセスメント（ＣＣＡ）時間スレショルドをさらに備える請求項１に記載の方法。
【請求項３】
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、８メガヘルツ（ＭＨｚ）帯域幅チャネルに関して９０マイクロ秒（μｓ）の短フレーム間スペース（ＳＩＦＳ）時間を備える、方法。
【請求項４】
前記１つ以上のフレーム間タイミングパラメータは、１１．２５μｓのクリアチャネルアセスメント（ＣＣＡ）時間スレショルドをさらに備える請求項３に記載の方法。
【請求項５】
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を備える、デバイス。
【請求項６】
前記１つ以上のフレーム間タイミングパラメータは、前記６メガヘルツ（ＭＨｚ）帯域幅チャネルに関して又は前記７ＭＨｚ帯域幅チャネルに関しては１５μｓ、前記８ＭＨｚ帯域幅チャネルに関しては１１．２５μｓのクリアチャネルアセスメント（ＣＣＡ）時間スレショルドをさらに備える請求項５に記載のデバイス。
【請求項７】
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８メガヘルツ（ＭＨｚ）帯域幅チャネル、又はそれらの組み合わせに関しては９０μｓの短フレーム間スペース（ＳＩＦＳ）時間を備える、装置。
【請求項８】
前記１つ以上のフレーム間タイミングパラメータは、前記６ＭＨｚ帯域幅チャネルに関して又は前記７ＭＨｚ帯域幅チャネルに関しては１５μｓ、前記８ＭＨｚ帯域幅チャネルに関しては１１．２５μｓのクリアチャネルアセスメント（ＣＣＡ）時間スレショルドをさらに備える請求項７に記載の装置。
【請求項９】
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を含む、非一時的なコンピュータによって読み取り可能な媒体。
【請求項１０】
前記１つ以上のフレーム間タイミングパラメータは、前記６ＭＨｚ帯域幅チャネルに関して又は前記７ＭＨｚ帯域幅チャネルに関しては１５μｓ、前記８ＭＨｚ帯域幅チャネルに関しては１１．２５μｓのクリアチャネルアセスメント（ＣＣＡ）時間スレショルドをさらに備える請求項９に記載の非一時的なコンピュータによって読み取り可能な媒体。
【請求項１１】
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関して１５マイクロ秒（μｓ）のクリアチャネルアセスメント（ＣＣＡ）時間を備える、方法。
【請求項１２】
前記１つ以上のフレーム間タイミングパラメータは、前記６ＭＨｚ帯域幅チャネルに関して又は前記７ＭＨｚ帯域幅チャネルに関して１２０μｓの短フレーム間スペース（ＳＩＦＳ）をさらに備える請求項１１に記載の方法。
【請求項１３】
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、８メガヘルツ（ＭＨｚ）帯域幅チャネルに関して  １１．２５マイクロ秒（μｓ）のクリアチャネルアセスメント（ＣＣＡ）時間を備える、方法。
【請求項１４】
前記１つ以上のフレーム間タイミングパラメータは、前記８ＭＨｚ帯域幅チャネル、又はそれらの組み合わせに関して９０μｓの短フレーム間スペース（ＳＩＦＳ）をさらに備える請求項１３に記載の方法。
【請求項１５】
前記１つ以上のフレーム間タイミングパラメータは、８６μｓ、９０μｓ、又は９１μｓの短フレーム間スペース（ＳＩＦＳ）をさらに備える請求項１３に記載の方法。
【請求項１６】
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を含む、デバイス。
【請求項１７】
前記１つ以上のフレーム間タイミングパラメータは、前記６メガヘルツ（ＭＨｚ）帯域幅チャネルに関して又は前記７ＭＨｚ帯域幅チャネルに関して１２０μｓの短フレーム間スペース（ＳＩＦＳ）をさらに備える請求項１６に記載のデバイス。
【請求項１８】
前記１つ以上のフレーム間タイミングパラメータは、前記８ＭＨｚ帯域幅チャネルに関して９０μｓの短フレーム間スペース（ＳＩＦＳ）をさらに備える請求項１６に記載のデバイス。
【請求項１９】
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を備える、装置。
【請求項２０】
前記１つ以上のフレーム間タイミングパラメータは、前記６ＭＨｚ帯域幅チャネルに関して又は前記７ＭＨｚ帯域幅チャネルに関しては１２０μｓの第１の短フレーム間スペース（ＳＩＦＳ）、前記８ＭＨｚ帯域幅チャネル、又はそれらの組み合わせに関しては９０μｓの第２のＳＩＦＳをさらに備える請求項１９に記載の装置。
【請求項２１】
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を備える、非一時的なコンピュータによって読み取り可能な媒体。
【請求項２２】
前記１つ以上のフレーム間タイミングパラメータは、前記６メガヘルツ（ＭＨｚ）帯域幅チャネルに関して又は前記７ＭＨｚ帯域幅チャネルに関しては１２０μｓの第１の短フレーム間スペース（ＳＩＦＳ）、前記８ＭＨｚ帯域幅チャネル、又はそれらの組み合わせに関しては９０μｓの第２のＳＩＦＳをさらに備える請求項２１に記載の非一時的なコンピュータによって読み取り能な媒体。
【請求項２３】
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介しての前記ＶＨＴデータシンボルの送信は、前記ＶＨＴデータシンボルと関連付けられたスペクトルフラット性制約事項を満たす、方法。
【請求項２４】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項２３に記載の方法。
【請求項２５】
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定される請求項２３に記載の方法。
【請求項２６】
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有する請求項２３に記載の方法。
【請求項２７】
前記ＶＨＴデータシンボルがＴＶＨＴフォーマットを有するときには、前記第１のインデックス範囲は、−４２乃至−２及び＋２乃至＋４２を含み、前記偏差範囲は、±４デシベル（ｄＢ）を含み、前記第２のインデックス範囲は、−４２乃至−２及び＋２乃至＋４２を含む請求項２６に記載の方法。
【請求項２８】
前記ＶＨＴデータシンボルがＴＶＨＴフォーマットを有するときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−２及び＋２乃至＋４２を含む請求項２６に記載の方法。
【請求項２９】
前記ＶＨＴデータシンボルが非高スループット（非ＨＴ）複製フォーマットを含むときには、前記第１のインデックス範囲は、−４２乃至−３３、−３１乃至−６、＋６乃至＋３１及び＋３３乃至＋４２を含み、前記偏差範囲は、±４デシベル（ｄＢ）を含み、前記第２のインデックス範囲は、−４２乃至−３３、−３１乃至−６、＋６乃至＋３１及び＋３３乃至＋４２を含む請求項２６に記載の方法。
【請求項３０】
前記ＶＨＴデータシンボルが非高スループット（非ＨＴ）複製フォーマットを含むときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−３３、−３１乃至−６、＋６乃至＋３１及び＋３３乃至＋４２を含む請求項２６に記載の方法。
【請求項３１】
前記第１のインデックス範囲及び前記第２のインデックス範囲は、１つの周波数セグメントを用いた前記送信に対応する請求項２６に記載の方法。
【請求項３２】
前記第１のインデックス範囲は、両端の数字を含み、前記偏差範囲は、両端の数字を含み、前記第２のインデックス範囲は、両端の数字を含み、又はそれらの組み合わせである請求項２６に記載の方法。
【請求項３３】
前記偏差範囲は、１つの周波数セグメントを用いた前記送信に対応する請求項２６に記載の方法。
【請求項３４】
複数の隣接する又は不連続の周波数セグメントを含む送信に関して、前記複数の隣接する又は不連続の周波数セグメントの各周波数セグメントは、１つ以上の周波数セグメントを用いた前記送信に関する前記スペクトルフラット性制約事項を満たしており、前記１つの周波数セグメントを用いた前記送信は、前記第１のインデックス範囲、前記偏差範囲、及び第２のインデックス範囲に対応する請求項２６に記載の方法。
【請求項３５】
複数の隣接する又は不連続の周波数セグメントを含む前記送信は、２つの隣接する周波数セグメントを用いる第１の送信、４つの隣接する周波数セグメントを用いる第２の送信、２つの隣接しない周波数セグメントを用いる第３の送信、又は２つの隣接しない周波数セクションを用いる第４の送信のうちの１つを含み、前記２つの隣接しない周波数セクションの各周波数セクションは、２つの隣接する周波数セグメントを備える請求項３４に記載の方法。
【請求項３６】
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介しての前記ＶＨＴデータシンボルの前記送信は、前記ＶＨＴデータシンボルと関連付けられたスペクトルフラット性制約事項を満たす、デバイス。
【請求項３７】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項３６に記載のデバイス。
【請求項３８】
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定される請求項３６に記載のデバイス。
【請求項３９】
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有する請求項３６に記載のデバイス。
【請求項４０】
前記ＶＨＴデータシンボルがＴＶＨＴフォーマットを有するときには、前記第１のインデックス範囲は、−４２乃至−２及び＋２乃至＋４２を含み、前記偏差範囲は、±４デシベル（ｄＢ）を含み、前記第２のインデックス範囲は、−４２乃至−２及び＋２乃至＋４２を含む請求項３９に記載のデバイス。
【請求項４１】
前記ＶＨＴデータシンボルがＴＶＨＴフォーマットを有するときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−２及び＋２乃至＋４２を含む請求項３９に記載のデバイス。
【請求項４２】
前記ＶＨＴデータシンボルが非高スループット（非ＨＴ）複製フォーマットを含むときには、前記第１のインデックス範囲は、−４２乃至−３３、−３１乃至−６、＋６乃至＋３１及び＋３３乃至＋４１を含み、前記偏差範囲は、±４デシベル（ｄＢ）を含み、前記第２のインデックス範囲は、−４２乃至−３３、−３１乃至−６、＋６乃至＋３１及び＋３３乃至＋４２を含む請求項３９に記載のデバイス。
【請求項４３】
前記ＶＨＴデータシンボルが非高スループット（非ＨＴ）複製フォーマットを含むときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−３３、−３１乃至−６、＋６乃至＋３１及び＋３３乃至＋４２を含む請求項３９に記載のデバイス。
【請求項４４】
前記第１のインデックス範囲は、両端の数字を含み、前記偏差範囲は、両端の数字を含み、前記第２のインデックス範囲は、両端の数字を含み、又はそれらの組み合わせである請求項３９に記載のデバイス。
【請求項４５】
装置であって、
超高スループット（ＶＨＴ）データシンボルを生成するための手段と、
テレビ（ＴＶ）高スループット（ＴＢＨＴ）帯域幅チャネルを介して前記ＶＨＴデータシンボルを送信するための手段と、を備え、前記ＴＶＨＴ帯域幅チャネルを介しての前記ＶＨＴデータシンボルの送信は、前記ＶＨＴデータシンボルと関連付けられたスペクトルフラット性制約事項を満たす、装置。
【請求項４６】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項４５に記載の装置。
【請求項４７】
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定される請求項４５に記載の装置。
【請求項４８】
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有する請求項４５に記載の装置。
【請求項４９】
前記ＶＨＴデータシンボルがＴＶＨＴフォーマットを有するときには、前記第１のインデックス範囲は、−４２乃至−２及び＋２乃至＋４２を含み、前記偏差範囲は、±４デシベル（ｄＢ）を含み、前記第２のインデックス範囲は、−４２乃至−２及び＋２乃至＋４２を含む請求項４８に記載の装置。
【請求項５０】
前記ＶＨＴデータシンボルがＴＶＨＴフォーマットを有するときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−２及び＋２乃至＋４２を含む請求項４８に記載の装置。
【請求項５１】
前記ＶＨＴデータシンボルが非高スループット（非ＨＴ）複製フォーマットを含むときには、前記第１のインデックス範囲は、−４２乃至−３３、−３１乃至−６、＋６乃至＋３１及び＋３３乃至＋４２を含み、前記偏差範囲は、±４デシベル（ｄＢ）を含み、前記第２のインデックス範囲は、−４２乃至−３３、−３１乃至−６、＋６乃至＋３１及び＋３３乃至＋４２を含む請求項４８に記載の装置。
【請求項５２】
前記ＶＨＴデータシンボルが非高スループット（非ＨＴ）複製フォーマットを含むときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−３３、−３１乃至−６、＋６乃至＋３１及び＋３３乃至＋４２を含む請求項４８に記載の装置。
【請求項５３】
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介しての前記ＶＨＴデータシンボルの前記送信は、前記ＶＨＴデータシンボルと関連付けられたスペクトルフラット性制約事項を満たす、非一時的なコンピュータによって読み取り可能な媒体。
【請求項５４】
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有する請求項５３に記載の非一時的なコンピュータによって読み取り可能な媒体。
【請求項５５】
前記第１のインデック範囲及び前記第２のインデックス範囲は、１つの周波数セグメントを用いた前記送信に対応する請求項５４に記載の非一時的なコンピュータによって読み取り可能な媒体。
【請求項５６】
前記第１のインデックス範囲、前記偏差範囲、前記第２のインデックス範囲、又はそれらの組み合わせは、両端の数字を含む請求項５４に記載の非一時的なコンピュータによって読み取り可能な媒体。
【請求項５７】
前記偏差範囲は、１つの周波数セグメントを用いた前記送信に対応する請求項５４に記載の非一時的なコンピュータによって読み取り可能な媒体。
【請求項５８】
複数の隣接する又は不連続の周波数セグメントを含む送信に関して、前記複数の隣接する又は不連続の周波数セグメントの各周波数セグメントは、１つの周波数セグメントを用いた前記送信に関する前記スペクトルフラット性制約事項を満たし、前記１つの周波数セグメントを用いた前記送信は、前記第１のインデックス範囲、前記偏差範囲、及び前記第２のインデックス範囲に対応する請求項５４に記載の非一時的なコンピュータによって読み取り可能な媒体。
【請求項５９】
複数の隣接する又は不連続の周波数セグメントを含む前記送信は、２つの隣接する周波数セグメントを用いる第１の送信、４つの隣接する周波数セグメントを用いる第２の送信、２つの隣接しない周波数セグメントを用いる第３の送信、又は２つの隣接しない周波数セクションを用いる第４の送信のうちの１つを含み、前記２つの隣接しない周波数セクションの各周波数セクションは、２つの隣接する周波数セグメントを備える請求項５８に記載の非一時的なコンピュータによって読み取り可能な媒体。
【請求項６０】
方法であって、
テレビ（ＴＶ）高スループット（ＴVＨＴ）帯域幅チャネルを介して超高スループット（ＶＨＴ）データシンボルを局の送信機から送信することを備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、方法。
【請求項６１】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項６０に記載の方法。
【請求項６２】
前記範囲は、両端の数字を含む請求項６０に記載の方法。
【請求項６３】
前記ＴＶＨＴ帯域幅チャネルを介しての前記ＶＨＴデータシンボルの送信と関連付けられた１つ以上の搬送波クロック周波数及び１つ以上のシンボルクロック周波数は、共通の基準発振器から導き出される請求項６０に記載の方法。
【請求項６４】
前記１つ以上の搬送波クロック周波数は、前記ＴＶＨＴ帯域幅チャネルを含む請求項６３に記載の方法。
【請求項６５】
前記ＴＶＨＴ帯域幅チャネルは、１つ以上の周波数セグメントと関連付けられ、前記１つ以上の周波数セグメントは、１つ以上の基本的チャネルユニット（ＢＣＵ）を含み、前記１つ以上のＢＣＵは、６メガヘルツ（ＭＨｚ）帯域幅チャネル、７ＭＨｚ帯域幅チャネル、８ＭＨｚ帯域幅チャネル、又はそれらの組み合わせを含む請求項６０に記載の方法。
【請求項６６】
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、デバイス。
【請求項６７】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項６６に記載のデバイス。
【請求項６８】
前記範囲は、両端の数字を含む請求項６６に記載のデバイス。
【請求項６９】
前記ＴＶＨＴ帯域幅チャネルを介しての前記ＶＨＴデータシンボルの送信と関連付けられた１つ以上の搬送波クロック周波数及び１つ以上のシンボルクロック周波数は、共通の基準発振器から導き出される請求項６６に記載のデバイス。
【請求項７０】
前記１つ以上の搬送波クロック周波数は、前記ＴＶＨＴ帯域幅チャネルを含む請求項６９に記載のデバイス。
【請求項７１】
前記ＴＶＨＴ帯域幅チャネルは、１つ以上の周波数セグメントと関連付けられ、前記１つ以上の周波数セグメントは、１つ以上の基本的チャネルユニット（ＢＣＵ）を含み、前記１つ以上のＢＣＵは、６メガヘルツ（ＭＨｚ）帯域幅チャネル、７ＭＨｚ帯域幅チャネル、８ＭＨｚ帯域幅チャネル、又はそれらの組み合わせを含む請求項６６に記載のデバイス。
【請求項７２】
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、装置。
【請求項７３】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項７２に記載の装置。
【請求項７４】
前記範囲は、両端の数字を含む請求項７２に記載の装置。
【請求項７５】
前記ＴＶＨＴ帯域幅チャネルは、１つ以上の周波数セグメントと関連付けられ、前記１つ以上の周波数セグメントは、１つ以上の基本的チャネルユニット（ＢＣＵ）を含み、前記１つ以上のＢＣＵは、６メガヘルツ（ＭＨｚ）帯域幅チャネル、７ＭＨｚ帯域幅チャネル、８ＭＨｚ帯域幅チャネル、又はそれらの組み合わせを含む請求項７２に記載の装置。
【請求項７６】
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、非一時的なコンピュータによって読み取り可能な媒体。
【請求項７７】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項７６に記載の非一時的なコンピュータによって読み取り可能な媒体。
【請求項７８】
前記ＴＶＨＴ帯域幅チャネルを介しての前記ＶＨＴデータシンボルの送信と関連付けられた１つ以上の搬送波クロック周波数及び１つ以上のシンボルクロック周波数は、共通の基準発振器から導き出される請求項７６に記載の非一時的なコンピュータによって読み取り可能な媒体。
【請求項７９】
前記１つ以上の搬送波クロック周波数は、前記ＴＶＨＴ帯域幅チャネルを含む請求項７８に記載の非一時的なコンピュータによって読み取り可能な媒体。
【請求項８０】
方法であって、
テレビ（ＴＶ）高スループット（ＴＶＨＴ）帯域幅チャネルを介して超高スループット（ＶＨＴ）データシンボルを局から送信することを備え、前記ＶＨＴデータシンボルの送信中に使用されるシンボルクロック周波数は、ターゲットシンボルクロック周波数の−２５パーツ・パー・ミリオン（ｐｐｍ）乃至＋２５ｐｐｍの範囲内にある、方法。
【請求項８１】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項８０に記載の方法。
【請求項８２】
前記範囲は、両端の数字を含む請求項８０に記載の方法。
【請求項８３】
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＶＨＴデータシンボルの前記送信中に使用されるシンボルクロック周波数は、ターゲットシンボルクロック周波数の−２５パーツ・パー・ミリオン（ｐｐｍ）乃至＋２５ｐｐｍの範囲内にある、デバイス。
【請求項８４】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項８３に記載のデバイス。
【請求項８５】
前記範囲は、両端の数字を含む請求項８３に記載のデバイス。
【請求項８６】
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＶＨＴデータシンボルの送信中に使用されるシンボルクロック周波数は、ターゲットシンボルクロック周波数の−２５パーツ・パー・ミリオン（ｐｐｍ）乃至＋２５ｐｐｍの範囲内にある、装置。
【請求項８７】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項８６に記載の装置。
【請求項８８】
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＶＨＴデータシンボルの送信中に使用されるシンボルクロック周波数は、ターゲットシンボルクロック周波数の−２５パーツ・パー・ミリオン（ｐｐｍ）乃至＋２５ｐｐｍの範囲内にある、非一時的なコンピュータによって読み取り可能な媒体。
【請求項８９】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項８８に記載の非一時的なコンピュータによって読み取り可能な媒体。
【請求項９０】
前記範囲は、両端の数字を含む請求項８８に記載の非一時的なコンピュータによって読み取り可能な媒体。
【請求項９１】
方法であって、
テレビ（ＴＶ）高スループット（ＴＶＨＴ）帯域幅チャネルを介してプロトコルデータユニット（ＰＰＤＵ）を局から送信することを備え、前記ＰＰＤＵの送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、
前記送信されたＰＰＤＵの副搬送波当たりの平均電力、又は
Ｐ−１０ｌｏｇ１０（ＮＳＴ）の値よりも小さく、ここで、Ｐは、総送信電力であり、ＮＳＴは、周波数セグメント当たりの副搬送波の数である、方法。
【請求項９２】
前記分解能帯域幅は、６／１４４メガヘルツ（ＭＨｚ）又は８／１４４ＭＨｚである請求項９１に記載の方法。
【請求項９３】
前記周波数セグメントは、６メガヘルツ（ＭＨｚ）帯域幅チャネル、７ＭＨｚ帯域幅チャネル、８ＭＨｚ帯域幅チャネル、又はそれらの組み合わせを含む請求項９１に記載の方法。
【請求項９４】
前記送信されたＰＰＤＵは、１つの周波数セグメント、２つの隣接する周波数セグメント、又は４つの隣接する周波数セグメントを用いた送信と関連付けられる請求項９１に記載の方法。
【請求項９５】
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む請求項９１に記載の方法。
【請求項９６】
デバイスであって、
プロトコルデータユニット（ＰＰＤＵ）の送信を開始するように構成されたプロセッサと、
テレビ（ＴＶ）高スループット（ＴＶＨＴ）帯域幅チャネルを介して前記ＰＰＤＵを送信するように構成された送信機と、を備え、前記ＰＰＤＵの前記送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、前記送信されたＰＰＤＵの副搬送波当たりの平均電力よりも小さいか又はＰ−ｌｏｇ１０（ＮＳＴ）の値よりも小さく、ここで、Ｐは、総送信電力であり、ＮＳＴは、周波数セグメント当たりの副搬送波の数である、デバイス。
【請求項９７】
前記分解能帯域幅は、６／１４４メガヘルツ（ＭＨｚ）又は８／１４４ＭＨｚである請求項９６に記載のデバイス。
【請求項９８】
前記周波数セグメントは、６メガヘルツ（ＭＨｚ）帯域幅チャネル、７ＭＨｚ帯域幅チャネル、８ＭＨｚ帯域幅チャネル、又はそれらの組み合わせを含む請求項９６に記載のデバイス。
【請求項９９】
前記送信されたＰＰＤＵは、１つの周波数セグメント、２つの隣接する周波数セグメント、又は４つの隣接する周波数セグメントを用いた送信と関連付けられる請求項９６に記載のデバイス。
【請求項１００】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項９６に記載のデバイス。
【請求項１０１】
装置であって、
プロトコルデータユニット（ＰＰＤＵ）を生成するための手段と、
テレビ（ＴＶ）高スループット（ＴＶＨＴ）帯域幅チャネルを介して前記ＰＰＤＵを送信するための手段と、を備え、前記ＰＰＤＵの送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、前記送信されたＰＰＤＵの副搬送波当たりの平均電力よりも小さいか又はＰ−１０ｌｏｇ１０（ＮＳＴ）の値よりも小さく、ここで、Ｐは、総送信電力であり、ＮＳＴは、周波数セグメント当たりの副搬送波の数である、装置。
【請求項１０２】
前記分解能帯域幅は、６／１４４メガヘルツ（ＭＨｚ）又は８／１４４ＭＨｚである請求項１０１に記載の装置。
【請求項１０３】
前記送信されたＰＰＤＵは、１つの周波数セグメント、２つの隣接する周波数セグメント、又は４つの隣接する周波数セグメントを用いた送信と関連付けられる請求項１０１に記載の装置。
【請求項１０４】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１０１に記載の装置。
【請求項１０５】
非一時的なコンピュータによって読み取り可能な媒体であって、プロセッサによって実行されたときに、
テレビ（ＴＶ）高スループット（ＴＶＨＴ）帯域幅チャネルを介してのプロトコルデータユニット（ＰＰＤＵ）の送信を開始することを前記プロセッサに行わせる命令を備え、前記ＰＰＤＵの前記送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、前記送信されたＰＰＤＵの副搬送波当たりの平均電力よりも小さいか又はＰ−１０ｌｏｇ１０（ＮＳＴ）の値よりも小さく、ここで、Ｐは、総送信電力であり、ＮＳＴは、周波数セグメント当たりの副搬送波の数である、非一時的なコンピュータによって読み取り可能な媒体。
【請求項１０６】
前記送信されたＰＰＤＵは、１つの周波数セグメント、２つの隣接する周波数セグメント、又は４つの隣接する周波数セグメントを用いた送信と関連付けられる請求項１０５に記載の非一時的なコンピュータによって読み取り可能な媒体。
【請求項１０７】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１０５に記載の非一時的なコンピュータによって読み取り可能な媒体。
【請求項１０８】
方法であって、
テレビ（ＴＶ）高スループット（ＴＶＨＴ）帯域幅チャネルを介してプロトコルデータユニット（ＰＰＤＵ）を局から送信することを備え、前記ＰＰＤＵの送信中に使用される無線周波数局部発振器（ＲＦ  ＬＯ）がＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、方法。
【請求項１０９】
前記分解能帯域幅は、６／１４４メガヘルツ（ＭＨｚ）又は８／１４４ＭＨｚである請求項１０８に記載の方法。
【請求項１１０】
前記送信されたＰＰＤＵは、１つの周波数セグメント、２つの隣接する周波数セグメント、又は４つの隣接する周波数セグメントを使用する送信と関連付けられる請求項１０８に記載の方法。
【請求項１１１】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１０８に記載の方法。
【請求項１１２】
デバイスであって、
プロトコルデータユニット（ＰＰＤＵ）の送信を開始するように構成されたプロセッサと、
テレビ（ＴＶ）高スループット（ＴＶＨＴ）帯域幅チャネルを介して前記ＰＰＤＵを送信するように構成された送信機と、を備え、前記ＰＰＤＵの前記送信中に使用される無線周波数局部発振器（ＲＦ  ＬＯ）が前記ＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、デバイス。
【請求項１１３】
前記分解能帯域幅は、６／１４４メガヘルツ（ＭＨｚ）又は８／１４４ＭＨｚである請求項１１２に記載のデバイス。
【請求項１１４】
前記送信されたＰＰＤＵは、１つの周波数セグメント、２つの隣接する周波数セグメント、又は４つの隣接する周波数セグメントを使用する送信と関連付けられる請求項１１２に記載のデバイス。
【請求項１１５】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１１２に記載のデバイス。
【請求項１１６】
装置であって、
プロトコルデータユニット（ＰＰＤＵ）を生成するための手段と、
テレビ（ＴＶ）高スループット（ＴＶＨＴ）帯域幅チャネルを介して前記ＰＰＤＵを送信するための手段と、を備え、前記ＰＰＤＵの送信中に使用される無線周波数局部発振器（ＲＦ  ＬＯ）が前記ＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、装置。
【請求項１１７】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１１６に記載の装置。
【請求項１１８】
前記分解能帯域幅は、６／１４４メガヘルツ（ＭＨｚ）又は８／１４４ＭＨｚである請求項１１６に記載の装置。
【請求項１１９】
非一時的なコンピュータによって読み取り可能な媒体であって、プロセッサによって実行されたときに、
テレビ（ＴＶ）高スループット（ＴＶＨＴ）帯域幅チャネルを介してのプロトコルデータユニット（ＰＰＤＵ）の送信を開始することを前記プロセッサに行わせる命令を備え、前記ＰＰＤＵの前記送信中に使用される無線周波数局部発振器（ＲＦ  ＬＯ）が前記ＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、非一時的なコンピュータによって読み取り可能な媒体。
【請求項１２０】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１１９に記載の非一時的なコンピュータによって読み取り可能な媒体。
【請求項１２１】
前記送信されたＰＰＤＵは、１つの周波数セグメント、２つの隣接する周波数セグメント、又は４つの隣接する周波数セグメントを使用する送信と関連付けられる請求項１１９に記載の非一時的なコンピュータによって読み取り可能な媒体。
【請求項１２２】
方法であって、
テレビ（ＴＶ）高スループット（ＴＶＨＴ）帯域幅チャネルを介してプロトコルデータユニット（ＰＰＤＵ）を局から送信することを備え、前記送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを備える、方法。
【請求項１２３】
前記１つ以上のスペクトルマスクに関する制約事項は、米国電気電子学会（ＩＥＥＥ）８０２．１１ａｃ規格の送信スペクトルに関する節に含められる請求項１２２に記載の方法。
【請求項１２４】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１２２に記載の方法。
【請求項１２５】
デバイスであって、
プロトコルデータユニット（ＰＰＤＵ）の送信を開始するように構成されたプロセッサと、
テレビ（ＴＶ）高スループット（ＴＶＨＴ）帯域幅チャネルを介して前記ＰＰＤＵを送信するように構成された送信機と、を備え、前記送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを含む、デバイス。
【請求項１２６】
前記１つ以上のスペクトルマスクに関する制約事項は、米国電気電子学会（ＩＥＥＥ）８０２．１１ａｃ規格の送信スペクトルに関する節に含められる請求項１２５に記載のデバイス。
【請求項１２７】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１２５に記載のデバイス。
【請求項１２８】
装置であって、
プロトコルデータユニット（ＰＰＤＵ）を生成するための手段と、
テレビ（ＴＶ）高スループット（ＴＶＨＴ）帯域幅チャネルを介して前記ＰＰＤＵを送信するための手段と、を備え、前記送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを含む、装置。
【請求項１２９】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１２８に記載の装置。
【請求項１３０】
前記１つ以上のスペクトルマスクに関する制約事項は、米国電気電子学会（ＩＥＥＥ）８０２．１１ａｃ規格の送信スペクトルに関する節に含められる請求項１２８に記載の装置。
【請求項１３１】
非一時的なコンピュータによって読み取り可能な媒体であって、プロセッサによって実行されたときに、
テレビ（ＴＶ）高スループット（ＴＶＨＴ）帯域幅チャネルを介してのプロトコルデータユニット（ＰＰＤＵ）の送信を開始することを前記プロセッサに行わせる命令を備え、前記送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを含む、非一時的なコンピュータによって読み取り可能な媒体。
【請求項１３２】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１３１に記載の非一時的なコンピュータによって読み取り可能な媒体。
【請求項１３３】
前記１つ以上のスペクトルマスクに関する制約事項は、米国電気電子学会（ＩＥＥＥ）８０２．１１ａｃ規格の送信スペクトルに関する節に含められる請求項１３１に記載の非一時的なコンピュータによって読み取り可能な媒体。
【請求項１３４】
方法であって、
超高スループット（ＶＨＴ）データシンボルを局から送信することを備え、テレビ（ＴＶ）高スループット（ＴＶＨＴ）帯域幅チャネルを介しての前記ＶＨＴデータシンボルの送信は、送信機コンステレーションエラー制約事項に準拠する送信コンステレーション二乗平均平方根（ＲＭＳ）エラーを有する、方法。
【請求項１３５】
前記送信機コンステレーションエラー制約事項は、米国電気電子学会（ＩＥＥＥ）８０２．１１ａｃ規格の送信機コンステレーションエラーに関する節に含められる請求項１３４に記載の方法。
【請求項１３６】
前記ＶＨＴデータシンボルの前記送信は、１つの周波数セグメント、２つの隣接する周波数セグメント、４つの隣接する周波数セグメント、２つの隣接しない周波数セグメント、又は２つの隣接しない周波数セクションを使用し、前記２つの隣接しない周波数セクションの各周波数セクションは、２つの隣接する周波数セグメントを備える請求項１３４に記載の方法。
【請求項１３７】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１３４に記載の方法。
【請求項１３８】
前記ＶＨＴデータシンボルの前記送信が非高スループット（非ＨＴ）複製送信であるときには、前記送信と関連付けられたチャネル帯域幅の各１／２が、米国電気電子学会（ＩＥＥＥ）８０２．１１ｂ規格の送信機コンステレーションエラーに関する節に含まれている特定の送信機コンステレーションエラーに準拠する請求項１３４に記載の方法。
【請求項１３９】
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介しての前記ＶＨＴデータシンボルの前記送信は、送信機コンステレーションエラー制約事項に準拠する送信コンステレーション二乗平均平方根（ＲＭＳ）エラーを有する、デバイス。
【請求項１４０】
前記送信機コンステレーションエラー制約事項は、米国電気電子学会（ＩＥＥＥ）８０２．１１ａｃ規格の送信機コンステレーションエラーに関する節に含められる請求項１３９に記載のデバイス。
【請求項１４１】
前記ＶＨＴデータシンボルの前記送信は、１つの周波数セグメント、２つの隣接する周波数セグメント、４つの隣接する周波数セグメント、２つの隣接しない周波数セグメント、又は２つの隣接しない周波数セクションを使用し、前記２つの隣接しない周波数セクションの各周波数セクションは、２つの隣接する周波数セグメントを備える請求項１３９に記載のデバイス。
【請求項１４２】
前記ＶＨＴデータシンボルの前記送信が非高スループット（非ＨＴ）複製送信であるときには、前記送信と関連付けられたチャネル帯域幅の各１／２が、米国電気電子学会（ＩＥＥＥ）８０２．１１ｂ規格の送信機コンステレーションエラーに関する節に含まれている特定の送信機コンステレーションエラー制約事項に準拠する請求項１３９に記載のデバイス。
【請求項１４３】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１３９に記載のデバイス。
【請求項１４４】
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルを介しての前記ＶＨＴデータシンボルの送信は、送信機コンステレーションエラー制約事項に準拠する送信コンステレーション二乗平均平方根（ＲＭＳ）エラーを有する、装置。
【請求項１４５】
前記送信機コンステレーションエラー制約事項は、米国電気電子学会（ＩＥＥＥ）８０２．１１ａｃ規格の送信機コンステレーションエラーに関する節に含められる請求項１４４に記載の装置。
【請求項１４６】
前記ＶＨＴデータシンボルの前記送信は、１つの周波数セグメント、２つの隣接する周波数セグメント、４つの隣接する周波数セグメント、２つの隣接しない周波数セグメント、又は２つの隣接しない周波数セクションを使用し、前記２つの隣接しない周波数セクションの各周波数セクションは、２つの隣接する周波数セグメントを備える請求項１４４に記載の装置。
【請求項１４７】
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介しての前記ＶＨＴデータシンボルの前記送信は、送信機コンステレーションエラー制約事項に準拠する送信コンステレーション二乗平均平方根（ＲＭＳ）エラーを有する、非一時的なコンピュータによって読み取り可能な媒体。
【請求項１４８】
前記ＶＨＴデータシンボルの前記送信が非高スループット（非ＨＴ）複製送信であるときには、前記送信と関連付けられたチャネル帯域幅の各１／２が、米国電気電子学会（ＩＥＥＥ）８０２．１１ｂ規格の送信機コンステレーションエラーに関する節に含まれている特定の送信機コンステレーションエラー制約事項に準拠する請求項１４７に記載の非一時的なコンピュータによって読み取り可能な媒体。
【請求項１４９】
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルである請求項１４７に記載の非一時的なコンピュータによって読み取り可能な媒体。
【発明の詳細な説明】
【技術分野】
【０００１】
優先権の主張
［０００１］本出願は、“APPARATUS AND METHODS FOR IEEE 802.11af SPECIFICATION”（ＩＥＥＥ  ８０２．１１ａｆ仕様に関する装置及び方法）という題名を有する米国仮特許出願第６１／６５９，９４５号（出願日：２０１２年６月１４日）、“PHYSICAL LAYER PARAMETERS FOR INSTITUTE OF ELECTRICAL AND ELECTRONICS ENGINEERS(IEEE)802.11af STANDARD”（米国電気電子学会（ＩＥＥＥ）８０２．１１ａｆ規格に関する物理層パラメータ）という題名を有する米国仮特許出願第６１／６６８，３４７号（出願日：２０１２年７月５日）、及び“PHYSICAL LAYER PARAMETERS FOR INSTITUTE OF ELECTRICAL AND ELECTRONICS ENGINEERS(IEEE)802.11af STANDARD”（米国電気電子学会（ＩＥＥＥ）８０２．１１ａｆ規格に関する物理層パラメータ）という題名を有する米国仮特許出願第６１／６７２，２４１号（出願日：２０１２年７月１６日）からの優先権を主張するものであり、それらの各々の内容全体が引用によって組み入れられている。
【０００２】
［０００２］本開示は、概して、テレビ高スループット通信を対象とするものである。
【背景技術】
【０００３】
［０００３］技術が進歩した結果、コンピューティングデバイスがますます小型化しかつますます強力になってきている。例えば、現在は、様々なポータブルのパーソナルコンピューティングデバイスが存在しており、無線通信デバイス、例えば、小型かつ軽量で、ユーザによって簡単に持ち運びができるポータブル無線電話、パーソナルデジタルアシスタント（ＰＤＡ）、及びページングデバイスなどが含まれる。より具体的には、ポータブル無線電話、例えば、携帯電話及びインターネットプロトコル（ＩＰ）電話、は、無線ネットワークを通じて音声及びデータパケットを通信することができる。さらに、数多くの該無線コンピューティングデバイスは、それらの中に組み入れられているその他のタイプのデバイスを含む。例えば、無線コンピューティングデバイスは、デジタルスチルカメラと、デジタルビデオカメラと、デジタルレコーダと、オーディオファイルプレーヤーと、を含むこともできる。さらに、該無線コンピューティングデバイスは、ソフトウェアアプリケーション、例えば、インターネットにアクセスするために使用することができるウェブブラウザアプリケーション、を含む実行可能な命令を処理することができるプロセッサを含む。従って、これらの無線コンピューティングデバイスは、重要な計算能力を含むことができる。無線コンピューティングデバイスの使用が増大するのに応じて、無線通信に割り当てられる帯域幅がトラフィックの増大によって混雑する可能性がある。該混雑を軽減するために、１つの可能なアプローチ法は、以前にその他のデバイス又はシステムに割り当てられた帯域幅を無線コンピューティングデバイスに割り当てることである。
【０００４】
［０００４］多くの国では、無線送信周波数帯域は、政府の規制当局によって規制されている。米国連邦通信委員会（ＦＣＣ）及びその他の諸国の同様の規制機関では、無線送信周波数を規制し、特定の周波数範囲における放送免許を発行している。例示すると、テレビ放送者は、特定の地域における特定の周波数範囲によって定義される特定のチャネルに関するテレビチャネル送信のための免許を取得することができる。
【０００５】
［０００５］
無線データ通信の要求が増大してきているために、幾つかの規制当局では、現在の免許付与方式は無線送信周波数スペクトルの非効率的な使用に結び付くおそれがあることを認識している。その結果、各規制当局では、無免許のユーザ（例えば、個人の消費者）が免許周波数を“ホワイトスペース”で使用するのを許可する規則を定めている。ホワイトスペースは、概して、規制されているが特定の時間に特定の地域で使用されていない周波数範囲（例えば、１つ以上のチャネル）を意味する。例えば、ＦＣＣは、最近、空いている／未使用のテレビ（ＴＶ）ホワイトスペース（共通してテレビホワイトスペース（ＴＶＷＳ）と呼ばれる）をＴＶ帯域（ＴＶＢＤ）デバイスによって無免許で利用できるようにした。ＦＣＣでは、ＴＶＢＤデバイスがＴＶホワイトスペースを使用するためのガイドラインも設定している。
【発明の概要】
【０００６】
［０００６］米国電気電子学会（ＩＥＥＥ）では、無線ネットワーキングに関連する様々な工業仕様を公布しており、それらの多くは“ＩＥＥＥ８０２．１１”という名称を有している。例えば、８０２．１１ｂ（“２．４ＧＨｚ帯域におけるより高速の物理層拡張”という題名であり、条項１８と呼ばれる）は、顧客の構内での無線ネットワーキングにおいて、例えば、家庭又はオフィス環境において使用することができる無線ネットワーキング規格である。“現在進行中の”ＩＥＥＥ８０２．１１規格は、８０２．１１ａｄ（“６０ＧＨｚにおける超高スループット”という題名であり、条項２２と呼ばれる）と、８０２．１１ａｆ（“テレビホワイトスペースにおける無線ローカルエリアネットワーク（ＬＡＮ）”という題名であり、条項２３と呼ばれる）と、を含む。
【０００７】
［０００７］ＩＥＥＥ８０２．１１ａｆは、テレビのホワイトスペーススペクトルを無線ローカルエリアネットワーク（ＷＬＡＮ）通信のために使用することに関する規格である。ＩＥＥＥ８０２．１１ａｆによってまだ最終決定されてない幾つかの項目は、物理層（ＰＨＹ）パラメータ又は制約事項を含む。本開示は、局（例えば、送信機又は送信局）がＰＰＤＵを送信するのを可能にするためにテレビホワイトスペースネットワーク（例えば、ＩＥＥＥ８０２．１１ａｆ規格と互換可能であるネットワーク）に関する及び（ＩＥＥＥ８０２．１１ａｆ規格に準拠することになる）送信に関する１つ以上のパラメータ又は制約事項を提供する、それらのパラメータ又は制約事項は、スペクトルのフラット性（ｆｌａｔｎｅｓｓ）、送信中心周波数公差、シンボルクロック周波数公差、送信中心周波数漏れ、送信機コンステレーションエラー（ｃｏｎｓｔｅｌｌａｔｉｏｎ）  ｅｒｒｏｒ）、及び１つ以上のフレーム間スペース（タイミング）パラメータと関連付けることができ又はこれらの項目を含むことができる。
【０００８】
［０００８］１つ以上のパラメータ又は制約事項に基づき、局（例えば、移動通信デバイス）は、テレビ（ＴＶ）高スループット（ＴＶＨＴ）帯域幅チャネルを用いてプロトコルデータユニット（ＰＰＤＵ）又は超高スループット（ＶＨＴ）データシンボルを送信することができる。ＰＰＤＵは、１つ以上のシンボルを含むことができ及びＴＶＷＳネットワークを介して送信することができる。ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むことができる。ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含む基本的チャネルユニット（ＢＣＵ）（例えば、周波数セグメント）と呼ぶこともできる。
【０００９】
［０００９］特定の実施形態においては、方法は、局から、テレビ（ＴＶ）高スループット（ＴＶＨＴ）帯域幅チャネルを介して超高スループット（ＶＨＴ）データシンボルを送信することを含む。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ｃｌｅａｒ  ｃｈａｎｎｅｌ  ａｓｓｅｓｓｍｅｎｔ（ＣＣＡ）時間を含む。
【００１０】
［００１０］他の特定の実施形態においては、デバイスは、プロセッサと、送信機と、を含む。プロセッサは、超高スループット（ＶＨＴ）データシンボルの送信を開始するように構成される。送信機は、テレビ（ＴＶ）高スループット（ＴＶＨＴ）帯域幅チャネルを介してＶＨＴデータシンボルを送信するように構成される。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を含む。
【００１１】
［００１１］他の特定の実施形態においては、方法は、局から、テレビ（ＴＶ）高スループット（ＴＶＨＴ）帯域幅チャネルを介して超高スループット（ＶＨＴ）データシンボルを送信することを含む。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を含む。
【００１２】
［００１２］他の特定の実施形態においては、デバイスは、プロセッサと、送信機と、を含む。プロセッサは、超高スループット（ＶＨＴ）データシンボルの送信を開始するように構成される。送信機は、テレビ（ＴＶ）高スループット（ＴＶＨＴ）帯域幅チャネルを介してＶＨＴデータシンボルを送信するように構成される。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間、含む。
【００１３】
［００１３］開示される実施形態によって提供される１つの特定の利点は、ＴＶＷＳネットワークを介してのデータの送信及び受信を可能にする１つ以上の物理層（ＰＨＹ）パラメータ又は制約事項である。１つ以上の物理層（ＰＨＹ）パラメータ又は制約事項は、規格、例えば、ＩＥＥＥ８０２．１１ａｆ規格、に含めることができる。例えば、ＩＥＥＥ８０２．１１ａｆ規格に含められている１つ以上のパラメータ又は制約事項は、スペクトルフラット性に関する要求、シンボルクロック周波数公差、送信中心周波数公差、送信機変調精度に関する要求（例えば、送信中心周波数漏れ及び送信機コンステレーションエラー）、フレーム間スペース、非ＨＴ複製パケット生成フォーマット、又はそれらの組み合わせを含むことができる。
【００１４】
［００１４］次の節、すなわち、図面の簡単な説明、発明を実施するための形態、及び請求項を含む本出願を検討後に本開示のその他の態様、利点、及び特徴が明らかになるであろう。
【図面の簡単な説明】
【００１５】
【図１】［００１５］ＴＶＷＳネットワークを介してデータを通信するシステムの例示的な実施形態の図である。
【図２】［００１６］ＴＶＷＳネットワークと関連付けられた１つ以上のフレーム間スペースパラメータに基づくフレーム（例えば、ＰＰＤＵ、データシンボル、又はそれらの組み合わせを含む）の送信と関連付けられたタイミング図である。
【図３】［００１７］１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図４】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図５】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図６】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図７】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図８】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図９】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図１０】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図１１】１つ以上のＰＨＹ  ＴＶＷＳパラメータ又は制約事項に基づく又は１つ以上のＰＨＹ  ＴＶＷＳパラメータ又は制約事項に準拠したＴＶＨＴ帯域幅チャネルを介してＶＨＴデータシンボル又はＰＰＤＵを送信するために局を動作させる例示的方法を描いた図である。
【図１２】［００１８］無線マイクロフォンシステムに含められたデバイスの特定の実施形態のブロック図である。
【発明を実施するための形態】
【００１６】
［００１９］本開示の特定の実施形態が以下において図面を参照して説明される。説明では、図面全体を通じて共通の特徴には共通の参照数字が付されている。
【００１７】
［００２０］局は、データパケット（例えば、超高スループット（ＶＴＨ）データシンボル又は（ＰＰＤＵ）を含む）を生成すること、テレビ（ＴＶ）高スループット（ＴＶＨＴ）帯域幅チャネルを介して送信すること、又はそれらの組み合わせであることができる。データパケットの生成、送信、又はそれらの組み合わせは、ペクトルフラット性、送信中心周波数公差、シンボルクロック周波数公差、送信中心周波数漏れ、送信機コンステレーションエラー、及び１つ以上のフレーム間スペース（タイミング）パラメータ、フレーム間スペースと関連付けられた又は含む１つ以上のパラメータに基づくこと又は１つ以上の制約事項に準拠することができる。例えば、１つ以上のパラメータ又は制約事項は、米国電気電子学会（ＩＥＥＥ）８０２．１１ａｆ規格に含めることができる。
【００１８】
［００２１］ＴＶＨＴ設計は、６メガヘルツ（ＭＨｚ）及び８ＭＨｚチャネルユニットにおける１４４の直交周波数分割多元（ＯＦＤＭ）トーンを定義すること及びデータ及びパイロットに関する直流（ＤＣ）トーンの各側においてトーン５８までを使用すること、及び、超高スループット（ＶＨＴ）４０ＭＨｚ物理層（ＰＨＹ）パラメータをマッチングさせることに基づく。７ＭＨｚチャネルユニットは、１６８トーンを有する（６ＭＨｚチャネルと同じ帯域幅及びＤＣファクタ）。
【００１９】
［００２２］ＴＶＨＴ物理層（ＰＨＹ）パラメータは、１つ、２つ、又は４つの周波数セグメントの組み合わせを含むことができる。例えば、ＴＶＨＴ  ＰＨＹは、１つの周波数セグメントを用いた送信のための強制的なモード（例えば、基本的チャネルユニット（ＢＣＵ））を含むことができる（例えば、モード１）。ＴＶＨＴ  ＰＨＹは、複数のセグメントを用いた送信のための１つ以上の任意選択モード（例えば、マルチＢＣＵ）を含むこともできる。複数のセグメントを用いた送信は、２つの隣接する周波数セグメント（例えば、モード２Ｃ）、４つの隣接する周波数セグメント（例えば、モード２Ｎ）、２つの隣接しない周波数セグメント（例えば、モード４Ｃ）、又は２つの隣接しない周波数セクション（例えば、モード４Ｎ）を用いた送信を含むことができる。各周波数セクションは、２つの隣接する周波数セグメントを含む。
【００２０】
［００２３］図１は、無線ネットワーク、例えば、ＴＶＷＳネットワーク１４０、を介してデータを通信するために動作可能であるシステム１００の特定の実施形態の図である。システム１００は、局１０６（例えば、送信機局）と、他の局（例えば、受信機局）と、を含む。送信機局１０６は、ＴＶＷＳネットワーク１４０を介して受信機１６０にパケット１３０を送信するように構成することができる。図１では単一の送信機及び単一の受信機が示されているが、代替実施形態は、２つ以上の送信機と、２つ以上の受信機と、を含むことが注目されるべきである。図１では専用の送信機局１０６及び専用の受信機局１６０が示されているが、幾つかのデバイス（例えば、トランシーバ又はトランシーバを含む移動通信デバイス）は、パケット送信とパケット受信の両方が可能であることが注目されるべきである。従って、ＴＶＷＳネットワーク１４０は、２方向通信をサポートする。
【００２１】
［００２４］ＴＶＷＳネットワーク１４０は、ＩＥＥＥ８０２．１１ａｆプロトコルにより動作することができる。ＴＶＷＳネットワーク１４０は、複数のチャネル（例えば、テレビチャネル）を介して通信をサポートすることができる。特定の実施形態においては、ＴＶＷＳネットワーク１４０のチャネルの帯域幅は、ＴＶＷＳネットワーク１４０が位置する地域における規制ガイドラインに依存して、６ＭＨｚから８ＭＨｚの間で異なる。例えば、チャネル帯域幅は、米国では６ＭＨｚ、欧州では８ＭＨｚ、その他の幾つかの規制地域では７ＭＨｚである。ＴＶＷＳネットワーク１４０を介してデータが通信されるときには、各々のチャネルでの通信のために使用される動作帯域幅は、そのチャネルのチャネル帯域幅以下であることができる。帯域幅に関する値は、６／７ＭＨｚチャネルに関しては４０／７．５＝５．３３ＭＨｚ及び８ＭＨｚチャネルに関しては４０／５．６２５＝７．１１１１ＭＨｚである。送信機局１０６は、プロセッサ１０８と、メモリ１１０と、パケット生成／符号化モジュール１１４と、無線コントローラ１１６と、送信機１１８と、を含むことができる。プロセッサ１０８（例えば、デジタル信号プロセッサ（ＤＳＰ）、アプリケーションプロセッサ、等）は、メモリ１１０に結合することができる。特定の実施形態においては、プロセッサ１０８は、ＴＶＷＳネットワーク１４０を介して送信されるべきパケット１３０を生成するためのロジック（例えば、ハードウェア及び／又は回路要素）を含む。代替として、パケット１３０は、パケット生成／符号化モジュール１１４（例えば、ハードウェア、回路要素、ソフトウェア、又はそれらの組み合わせ）によって生成すること、符号化すること、又はそれらの組み合わせを行うことができる。
【００２２】
［００２５］メモリ１１０は、データ、命令、又は両方を格納する非一時的なコンピュータによって読み取り可能な記憶媒体であることができる。メモリ１１０は、ＴＶＷＳネットワーク１４０（例えば、ＩＥＥＥ８０２．１１ａｆ規格と互換可能であるネットワーク）及びＴＶＷＳ送信（例えば、ＩＥＥＥ８０２．１１ａｆ規格に準拠する送信）と関連付けられたＰＨＹパラメータ１１２を含むことができる。ＰＨＹパラメータ１１２は、送信機局１０６がＴＶＷＳネットワーク１４０を介してパケット１３０（例えば、プロトコルデータユニット（ＰＰＤＵ）又はＶＨＴデータシンボル）を送信するのを可能にすることができる。例えば、ＰＨＹパラメータ１１２は、スペクトルフラット性、送信中心周波数公差、シンボルクロック周波数公差、送信中心周波数漏れ、送信機コンステレーションエラー、及び１つ以上のフレーム間スペース（タイミング）パラメータと関連付けることができる。特定の実施形態においては、ＰＨＹパラメータ１１２は、メモリ１１０内のテーブル又はアレイ内に格納すること、１つ以上の回路又はコンポーネントにおいてハードコーディングすること、又はそれらの組み合わせであることができる。
【００２３】
［００２６］メモリ１１０は、ここにおいてさらに説明されるように機能又は方法を実行することをプロセッサ１０８に行わせるためにプロセッサ１０８によって実行可能である命令（示されていない）を含むこともできる。例えば、命令は、ユーザアプリケーション、オペレーティングシステム、その他の実行可能な命令、又はそれらの組み合わせを含むことができる。さらに、メモリ１１０は、プロセッサ１０８によって生成された又はパケット生成／符号化モジュール１１４によって生成されたパケット１３０を格納することができる。
【００２４】
［００２７］無線コントローラ１１６は、プロセッサ１０８、パケット生成／符号化モジュール１１４、及び送信機１１８に結合することができる。送信機１１８は、送信機局１０６がデータを無線で送信し及びデータを無線で受信するのを可能にするトランシーバを含むことができる。送信機１１８は、１つ以上のアンテナ１２０に結合することができる。さらに、送信機局１０６は、送信機局１０６による使用のために、送信中心周波数、シンボルクロック周波数、又はそれらの組み合わせを生成する際に使用するための１つ以上の発振器を含むことができる。特定の実施形態においては、プロセッサ１０８は、ＴＶＷＳネットワーク１４０の１つ以上のチャネルを介して送信機局１０６から受信機局１６０又はその他のデバイスに（無線コントローラ１１６、送信機１１８、及びアンテナ１２０を介しての）パケット１３０の送信を開始することができる。ＴＶＷＳネットワーク１４０を介してのパケット１３０の送信は、ＩＥＥＥ８０２．１１ａｆ規格に含まれている１つ以上の制約事項に準拠することができる。
【００２５】
［００２８］送信機局１０６は、データストリーム（例えば、アプリケーション又は送信機局１０６のプロセッサ１０８からのペイロード）を受信し及び無線送信信号（例えば、ＴＶＷＳネットワーク１４０を介して送信される信号）、例えば、データパケット１３０、を出力するように構成された１つ以上の送信チェーン（示されていない）を含むこともできる。１つ以上の送信チェーンは、各々、波形生成回路、波形プリアンブル構成回路、符号器回路／モジュール（例えば、パケット生成符号化モジュール１１４）、インターリーバ、コンステレーションマッパ（ｃｏｎｓｔｅｌｌａｔｉｏｎ  ｍａｐｐｅｒ）、空間−時間周波数マッパ回路／モジュール、逆離散フーリエ変換回路／モジュール、フォーマッタ回路／モジュール、デジタル−アナログ変換器、送信機無線周波数（ＲＦ）回路／モジュール（例えば、無線コントローラ１１６又は送信機１１８）、プライマリ搬送波変調器、アンテナ、又はそれらの組み合わせを含むことができる。送信チェーンのコンポーネントのうちの１つ以上は、クロック信号を受信するように構成することができる。送信機局１０６が複数の送信チェーンを含むときには、複数の送信チェーンは、ストリームパーサ（ｐａｒｓｅｒ）に信号を提供するための共通の符号器（例えば、単一の符号器回路／モジュール）を含むことができる。ストリームパーサは、１つ以上のインターリーバを介して複数の送信チェーンのうちの各送信チェーンに関する信号を提供することができる。各インターリーバは、特定の送信チェーンに対応し、特定の送信チェーンに信号を提供することができる。
【００２６】
［００２９］受信機局１６０は、１つ以上のデータパケット（例えば、ＶＨＴデータシンボル）、例えば、ＴＶＷＳネットワーク１４０を介して送信されたパケット１３０、を受信するように構成された局、アクセスポイント、又は他のデバイスを含むことができる。受信機局１６０は、プロセッサ１６８と、メモリ１７０と、パケット復号モジュール１７４と、無線コントローラ１７６と、受信機１７８と、を含むことができる。プロセッサ１６８（例えば、デジタル信号プロセッサ（ＤＳＰ）、アプリケーションプロセッサ、等）は、メモリ１７０に結合することができる。特定の実施形態においては、プロセッサ１６８は、ＴＶＷＳネットワーク１４０を介して送信されるべき受信機局１６０で受信されたパケット１３０を処理するためのロジック（例えば、ハードウェア及び／又は回路要素）を含む。代替として、パケット１３０は、パケット復号モジュール１７４（例えば、ハードウェア、回路要素、ソフトウェア、又はそれらの組み合わせ）によって復号すること（例えば、分解すること）ができる。
【００２７】
［００３０］メモリ１７０は、データ、命令、又は両方を格納する非一時的なコンピュータによって読み取り可能な記憶媒体であることができる。メモリ１７０は、ＴＶＷＳネットワーク１４０（例えば、ＩＥＥＥ８０２．１１ａｆ規格と互換可能であるネットワーク）及びＴＶＷＳ送信（例えば、ＩＥＥＥ８０２．１１ａｆ規格に準拠する送信）の受信と関連付けられたＰＨＹパラメータ１７２を含むことができる。ＰＨＹパラメータ１７２は、受信機局１６０がＴＶＷＳネットワーク１４０を介してパケット１３０（例えば、プロトコルデータユニット（ＰＰＤＵ）又はＶＨＴデータシンボル）を受信すること及び受信されたパケット１３０を処理することを可能にすることができる。例えば、ＰＨＹパラメータ１７２は、スペクトルフラット性、送信中心周波数公差、シンボルクロック周波数公差、送信中心周波数漏れ、送信機コンステレーションエラー、及び１つ以上のフレーム間スペース（タイミング）パラメータと関連付けることができる。特定の実施形態においては、ＰＨＹパラメータ１７２は、メモリ１７０内のテーブル又はアレイ内に格納すること、１つ以上の回路又はコンポーネントにおいてハードコーディングすること、又はそれらの組み合わせであることができる。
【００２８】
［００３１］メモリ１７０は、ここにおいてさらに説明されるように機能又は方法を実行することをプロセッサ１６８に行わせるためにプロセッサ１６８によって実行可能である命令（示されていない）を含むこともできる。例えば、命令は、ユーザアプリケーション、オペレーティングシステム、その他の実行可能な命令、又はそれらの組み合わせを含むことができる。さらに、メモリ１７０は、プロセッサ１０８又はパケット復号モジュール１７４によって生成されたパケット１３０又は処理されたデータを格納することができる。
【００２９】
［００３２］無線コントローラ１７６は、プロセッサ１６８、パケット復号モジュール１７４、及び受信機１７８に結合することができる。受信機１７８は、受信機局１６０がデータを無線で送信し及びデータを無線で受信するのを可能にするトランシーバを含むことができる。受信機１７８は、１つ以上のアンテナ１８０に結合することができる。さらに、受信機局１６０は、１つ以上のクロック信号又は周波数信号を生成する際に使用するための１つ以上の発振器を含むことができる。特定の実施形態においては、受信機１６０は、ＴＶＷＳネットワーク１４０の１つ以上のチャネルを介して送信機局１０６又はその他のデバイスから（アンテナ１８０、受信機１７８、及び無線コントローラ１７６を介して）パケット１３０を受信することができる。ＴＶＷＳネットワーク１４０を介してのパケット１３０の送信及び受信は、ＩＥＥＥ８０２．１１ａｆ規格に含まれている１つ以上の制約事項に準拠することができる。
【００３０】
［００３３］受信機局１６０は、受信された無線送信信号（例えば、ＴＶＷＳネットワーク１４０を介して受信された信号）、例えば、パケット１３０、に基づいてペイロードデータを生成するように構成された１つ以上の受信チェーン（示されていない）を含むこともできる。１つ以上の受信チェーンは、各々、波形復号回路、波形プリアンブル識別子回路、復号器回路／モジュール（例えば、パケット復号モジュール１７４）、デインターリーバ、チャネル推定器及び等化器回路／モジュール、空間−時間−周波数検出／復号回路／モジュール、時間／周波数同期回路／モジュール、離散フーリエ変換回路／モジュール、デフォーマッタ回路／モジュール、アナログ−デジタル変換器、受信機無線周波数（ＲＦ）回路／モジュール（例えば、無線コントローラ１７６又は受信機１７８）、プライマリ搬送波復調器、アンテナ、又はそれらの組み合わせを含むことができる。受信チェーンのコンポーネントのうちの１つ以上を、クロック信号を受信するように構成することができる。受信機局１６０が複数の受信チェーンを含むときには、受信機局１６０は、共通の多入力／多出力（ＭＩＭＯ）検出器を含むことができ、複数の受信チェーンの各々は、ストリームデパーサ（ｄｅｐａｒｓｅｒ）に信号を提供することができる。スチームデパーサは、復号器（例えば、複数の受信チェーンの各々に共通する復号器）に信号を提供することができる。
【００３１】
［００３４］動作中において、送信機局１０６のプロセッサ１０８、パケット生成／符号化モジュール１１４、又はそれらの組み合わせは、ＰＨＹパラメータ１１２に基づいてパケット１３０を作成（例えば、生成）し及び符号化することができる。パケット１３０は、送信機１１８及び１つ以上のアンテナ１２０を介して送信機局１０６によって送信することができる。パケット１３０は、ＴＶＷＳネットワーク１４０を介して受信機局１６０に送信することができる。パケット１３０の生成、ＴＶＷＳネットワーク１４０を介しての送信、又はそれらの組み合わせは、ここにおいてさらに説明されるように、ＩＥＥＥ８０２．１１ａｆ規格に含まれる１つ以上のパラメータ又は制約事項に準拠することができる。
【００３２】
［００３５］特定の実施形態においては、送信機局１０６、受信機局１６０、又はそれらの組み合わせは、図１２を参照して説明されるように、１つ以上の発振器を含むことができる。１つ以上の発振器は、送信中心周波数を有する送信周波数、シンボルクロック中心周波数を有するシンボルクロック周波数、又はそれらの組み合わせを生成するように構成することができる。
【００３３】
［００３６］システム１００は、ＴＶＷＳネットワーク１４０のテレビ帯域幅チャネルを介してデータパケット（例えば、データシンボル又はＰＰＤＵ）を送信するように構成された送信機及びデータパケットを受信するための受信機を提供することができる。パケットは、１つ以上の規格、例えば、ＩＥＥＥ８０２．１１ａｆ規格、に準拠することができる。例えば、ＩＥＥＥ８０２．１１ａｆ規格に含まれる１つ以上のパラメータ又は制約事項は、ここにおいてさらに説明されるように、スペクトルフラット性に関する要求、シンボルクロック周波数公差、送信中心周波数公差、送信機変調精度に関する要求（例えば、送信中心周波数漏れ及び送信機コンステレーションエラー）、フレーム間スペース、非ＨＴ複製パケット生成フォーマット、又はそれらの組み合わせを含むことができる。
【００３４】
［００３７］スペクトルフラット性（ｓｐｅｃｔｒａｌ  ｆｌａｔｎｅｓｓ）
［００３８］スペクトルフラット性は、平均電力からの１つ以上のチャネル（例えば、１つ以上の副搬送波）の偏差を示す尺度である。スペクトルフラット性は、２位相偏移変調（ＢＰＤＫ）されたパケットを用いて決定することができる。スペクトルフラット性は、信号（例えば、シンボル）を送信するために使用される帯域幅（例えば、帯域幅の量）に基づく。
【００３５】
［００３９］表１（下記）を参照し、ＴＶＨＴフォーマット又は非ＨＴ複製フォーマット（ｄｕｐｌｉｃａｔｅ  ｆｏｒｍａｔ）を有する周波数セグメントを使用するＴＶＨＴデータシンボルの送信に関して最大の送信スペクトルフラット性偏差が示される。表１の列の見出しを参照し、与えられた“フォーマット”に関して、送信されたＴＶＨＴデータシンボル内のＢＰＳＫ変調副搬送波ｉの平均コンステレーションエネルギーは、“試験された副搬送波インデックス”として記載されたインデックスを有し、“副搬送波インデックスの平均化”として記載された副搬送波に対する平均コンステレーションエネルギーの平均の範囲、例えば、“最大偏差”、内にある。例えば、表１のＴＶＨＴフォーマットエントリを参照し、送信されたＴＶＨＴデータシンボル内の、−４２乃至−２又は＋２乃至＋４２内のインデックス（例えば、表１の“試験された副搬送波インデックス”）を有する、ＢＰＳＫ変調副搬送波の平均コンステレーションエネルギーは、−５８乃至−４３及び＋４３乃至＋５８（例えば、“表１の副搬送波インデックスの平均化”）に含まれる副搬送波インデックスに対する複数の平均コンステレーションエネルギーの平均の＋４乃至−６（例えば、表１の“最大偏差”の範囲内である。
【００３６】
［００４０］特定の実施形態においては、送信機局１０６によって実行される方法は、テレビ（ＴＶ）超高スループット（ＴＶＨＴ）データシンボルを送信することを含み、テレビ（ＴＶ）高スループット（ＴＶＨＴ）帯域幅チャネルを介してのＴＶＨＴデータシンボルの送信は、ＴＶＨＴデータシンボルの送信と関連付けられたスペクトルフラット性制約事項を満たしている。スペクトルフラット性制約事項は、ＴＶＨＴデータシンボルの、第１のインデックス範囲内に含まれるインデックスを有する、２位相偏移変調（ＢＰＳＫ）された副搬送波の平均コンステレーションエネルギー値が、第２のインデックス範囲内に含まれるインデックスを各々有する複数の２位相偏移変調（ＢＰＳＫ）された副搬送波の複数の平均コンステレーションエネルギーの平均の偏差範囲内にあるときに満たされる。
【００３７】
［００４１］
【表１】
2015528225.tif 000003
【００３８】
［００４２］表１を参照し、副搬送波インデックスの平均化として記載される第１のインデックス範囲は、両端の数字を含み、試験された副搬送波インデックスとして記載された第２のインデックス範囲は、両端の数字を含み、最大偏差の偏差範囲は、両端の数字を含み、又はそれらの組み合わせである。特定の実施形態においては、試験された副搬送波インデックスとして記載されたインデックスは、両端の数字を含む。複数の隣接する又は連続しない周波数セグメントから成る送信に関しては、各周波数セグメントは、１つの周波数セグメントの送信に関するスペクトルフラット性要件を満たすものとする。
【００３９】
［００４３］送信中心周波数公差及びシンボルクロック周波数公差
［００４４］送信中心周波数公差は、送信中心周波数が希望される（例えば、ターゲットの）搬送波周波数から逸脱することができる限度を提供する。局（例えば、送信機デバイス）送信機中心周波数は、−２５パーツ・パー・ミリオン（ｐｐｍ）乃至＋２５ｐｐｍの第１の範囲内の許容可能な偏差（例えば、公差）を有することができる。代替実施形態においては、第１の範囲は、±２０ｐｐｍ、３２ｐｐｍ、２４ｐｐｍ、又は３０ｐｐｍであることができる。
【００４０】
［００４５］さらに、シンボルクロック周波数公差は、シンボルクロック周波数が希望される（例えば、ターゲットの）クロック周波数から逸脱することができる限度（例えば、最大量）を提供する。シンボルクロック周波数は、−２５ｐｐｍ乃至＋２５ｐｐｍの第２の範囲内の公差を有することができる。第１の範囲、第２の範囲、又はそれらの組み合わせは、両端の数字を含むことができる。局の１つ以上のアンテナ及び局の１つ以上の周波数セグメント（１つ以上のＴＶＨＴ帯域幅チャネルを含む）に関する送信中心周波数及びシンボルクロック周波数搬送波クロック周波数は、共通の基準発振器から導き出すことができる。１つ以上のアンテナは、ハードウェア、ソフトウェア、又はそれらの組み合わせを含む対応する送信チェーンに各々を結合すること又は該送信チェーンを含むことができる。
【００４１】
［００４６］送信中心周波数漏れ
［００４７］送信中心周波数漏れは、変調された信号の中心周波数における希望されないエネルギーに関連する。送信中心周波数漏れは、受信機に関する問題を引き起こす可能性がある。送信中心周波数漏れは、局部発振器（ＬＯ）（搬送波）の位置に依存して１つ以上の条件によって定義される。
【００４２】
［００４８］１つの周波数セグメント、２つの隣接する周波数セグメント、又は４つの隣接する周波数セグメントを用いる送信に関して、無線周波数（ＲＦ）ＬＯが送信されたＰＰＤＵ帯域幅チャネルの中心にあるときには、分解能帯域幅（ｒｅｓｏｌｕｔｉｏｎ  ｂａｎｄｗｉｄｔｈ）（例えば、６／１４４又は８／１４４ＭＨｚ）を用いて送信帯域幅の中心で測定された電力は、送信されたＰＰＤＵの副搬送波当たりの平均電力を超えることができず、又は同等として、（Ｐ−１０ｌｏｇ１０（ＮＳＴ）を超えることができず、ここで、Ｐは、総送信電力であり、ＮＳＴは、周波数セグメント当たりの副搬送波の数である。さらに、１つの周波数セグメント、２つの隣接する周波数セグメント、又は４つの隣接する周波数セグメントを用いる送信に関して、ＲＦ  ＬＯが送信されたＰＰＤＵ帯域幅の中心にないときには、ＲＦ  ＬＯの位置において測定される電力は、最大−２０ｄＢｍ（１ミリワット（ｍＷ）を基準にした測定電力の単位がデシベルの電力比の略語）又は−３２ｄＢと総送信電力の和を超えることができず、又は同等して、ｍａｘ（Ｐ−３２、−２０）（例えば、Ｐ−３２及び−２０のうちの高い方）を超えることができず、ここで、Ｐは、総送信電力である。ＲＦ  ＬＯの位置で測定される電力は、分解能帯域幅（例えば、６／１４４又は８／１４４ＭＨｚの分解能帯域幅）を用いて測定することができる。
【００４３】
［００４９］２つの隣接しない周波数セグメント又は２つの隣接しない周波数セクションを使用し、各周波数セクションが２つの隣接する周波数セグメントを含み、ＲＦ  ＬＯが両方の周波数セグメント外にある送信に関しては、ＲＦ  ＬＯは、スペクトルマスクに関する制約事項（例えば、スペクトルマスクに関する要求）に従うものとする。例えば、スペクトルマスクに関する制約事項のうちの１つ以上の制約事項は、ＩＥＥＥ８０２．１１ａｃ規格の送信スペクトルに関する節に含めることができる。
【００４４】
［００５０］送信機コンステレーションエラー（Ｔｒａｎｓｍｉｔｔｅｒ  Ｃｏｎｓｔｅｌｌａｔｉｏｎ  Ｅｒｒｏｒ）
［００５１］送信機コンステレーションエラー（送信機配置エラー）は、送信機局の変調精度に関連する。ＴＶＨＴ  ＰＨＹで定義された１つ以上のモードを用いた送信に関しては、送信コンステレーション二乗平均平方根（ＲＭＳ）エラーに関する制約事項が、ＩＥＥＥ８０２．１１ａｆ規格において定義されている。例えば、送信コンステレーションＲＭＳエラーに関する制約事項は、ＩＥＥＥ８０２．１１ａｃ規格の送信機コンステレーションに関する節に含まれている送信機コンステレーションエラー制約事項と同じであることができる。
【００４５】
［００５２］非高スループット（非ＨＴ）複製送信を用いた送信に関しては、送信と関連付けられたチャネル帯域幅の各１／２は、特定の送信機コンステレーションエラー制約事項に準拠する。例えば、特定の送信機コンステレーションエラー制約事項は、ＩＥＥＥ８０２．１１ｂ規格の送信機コンステレーションエラーに関する節に含めることができる。非ＨＴ複製送信を用いた送信と関連付けられたチャネル帯域幅の各１／２は、送信機コンステレーションエラー制約事項に準拠することができる。
【００４６】
［００５３］フレーム間スペース（タイミング）パラメータ
［００５４］フレーム間スペース（例えば、２つのフレーム間のスペース値）は、１つ以上のパラメータ、例えば、クリアチャネルアセスメント（ＣＣＡ）時間、空気伝播時間、スロット時間、又は短フレーム間スペース（ＳＩＦＳ）、を含むことができる。表２−フレーム間スペースパラメータを参照すること。
【００４７】
［００５５］
【表２】
2015528225.tif 000004
【００４８】
［００５６］スロット時間及びＳＩＦＳ値は、図２において示されるように、典型的なタイミング間隔に部分的に基づいて計算することができる。図２を参照し、ＴＶＷＳネットワークと関連付けられた１つ以上のフレーム間スペースパラメータに基づくフレーム（例えば、ＰＰＤＵ、データシンボル、又はそれらの組み合わせを含む）の送信と関連付けられたタイミング図２００が示される。タイミング図２００の１つ以上の態様は、１つ以上のＰＨＹパラメータ又は制約事項、例えば、図１のＰＨＹパラメータ１１２、１７２、に基づく。例えば、図２は、キャリアセンスマルチプルアクセス（ｃａｒｒｉｅｒ  ｓｅｎｓｅ  ｍｕｌｔｉｐｌｅ  ａｃｃｅｓｓ）（ＣＳＭＡ）通信と関連付けられた様々なタイミング期間を定義する。タイミング図２００に基づき、送信されたパケットのフレーム（例えば、ＰＰＤＵ、データシンボル、又はそれらの組み合わせを含む）が、分散調整機能（ＤＣＦ）フレーム間スペース（ＤＩＦＳ）期間及び第１のバックオフスロット期間を含むタイミングと関連付けられる。ＤＩＦＳ期間は、点調整機能（ＰＣＦ）フレーム間スペース（ＰＩＦＳ）期間を含む。ＰＩＦＳ期間は、ＳＩＦＳ期間と、スロット時間期間と、を含む。処理、ターンアラウンド、及び空気伝播遅延も存在することがある。
【００４９】
［００５７］さらに、ＣＣＡ時間は、送信機局のＣＣＡメカニズムが、各タイムスロット内の媒体がビジー又はアイドルのいずれであるかを決定するためにその媒体にアクセスする時間（単位マイクロ秒）を含む。空気伝播時間（単位マイクロ秒）は、スロット同期化されている最も遠い許容可能な局間を信号が横断する時間の量の１／２である。例えば、距離は、スロット同期化されている最も遠い許容可能な局間の最大距離であることができる。
【００５０】
［００５８］特定の実施形態においては、方法は、送信機局１０６が超高スループット（ＶＨＴ）データシンボルを送信することを含み、ＴＶＨＴ帯域幅チャネルを介してＶＨＴデータシンボルを送信するために１つ以上のフレーム間スペースパラメータが使用される。１つ以上のフレーム間タイミングパラメータは、６メガヘルツ（ＭＨｚ）帯域幅チャネル又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を含む。ＣＣＡ時間は、十分に正確であるクリアチャネルアセスメントに関する上限又はスレショルド（例えば、限度）を表すことができる。例えば、１５μｓのＣＣＡ時間は、１５μｓ以下の期間内での信号の検出が９０％正確であることを示すことができる。特定の実施形態においては、ＣＣＡ時間は、６ＭＨｚ帯域幅チャネル又は７ＭＨｚ帯域幅チャネルに関しては１５μｓ未満、８ＭＨｚ帯域幅チャネル、又はそれらの組み合わせに関しては１１．２５μｓ未満である。ＣＣＡ時間は、ここにおいてさらに説明されるように、短フレーム間スペース（ＳＩＦＳ）時間を計算するために使用することができる。
【００５１】
［００５９］他の特定の実施形態においては、１つ以上のフレーム間タイミングパラメータは、６ＭＨｚ帯域幅チャネル又は７ＭＨｚ帯域幅チャネルに関しては１２０μｓ、８ＭＨｚ帯域幅チャネル、又はそれらの組み合わせに関しては９０μｓの短フレーム間スペース（ＳＩＦＳ）時間を含む。例えば、ＳＩＦＳ時間は、６ＭＨｚ帯域幅チャネル又は７ＭＨｚ帯域幅チャネルに関しては１２０μｓに等しいことができる。他の例として、ＳＩＦＳ時間は、８ＭＨｚ帯域幅チャネルに関しては９０μｓに等しいことができる。
【００５２】
［００６０］フレーム間スペース（例えば、２つのフレーム間のスペース値）は、次のパラメータの組み合わせを有する１つ以上の任意選択肢を含むことができる。例えば、パラメータの組み合わせは、ここにおいて説明されるように、第１のフレーム間スペース任意選択肢、第２のフレーム間スペース任意選択肢、又は第３のフレーム間スペース任意選択肢を含むことができる。
【００５３】
［００６１］第１のフレーム間スペース任意選択肢は、６ＭＨｚ及び７ＭＨｚの動作に関しては６８マイクロ秒（μｓ）及び８ＭＨｚの動作に関しては５１μｓのＴＶＨＴ  ＰＨＹに関するスロット時間を含むことができる。第１のフレーム間スペース任意選択肢は、６ＭＨｚ及び７ＭＨｚの動作に関しては１２０マイクロ秒（μｓ）及び８ＭＨｚの動作に関しては９０μｓのＴＶＨＴ  ＰＨＹに関する短フレーム間スペース時間（ＳＩＦＳ）を含むことができる。これらの値は、ダウンクロッキング率（例えば、６ＭＨｚ及び７ＭＨｚに関しては７．５、８ＭＨｚに関しては５．６２５のダウンクロッキング率）によって１１ｎ／ａｃ値をスケーリングすることによって得ることができる。
【００５４】
［００６２］第２のフレーム間スペース任意選択肢は、６ＭＨｚ及び７ＭＨｚの動作に関しては５９μｓ及び８ＭＨｚの動作に関しては４６μｓのＴＶＨＴ  ＰＨＹに関するスロット時間を含むことができる。第２のフレーム間スペース任意選択肢は、６ＭＨｚ及び７ＭＨｚの動作に関しては１２１μｓ及び８ＭＨｚの動作に関しては９１μｓのＴＶＨＴ  ＰＨＹに関する短フレーム間スペース時間（ＳＩＦＳ）を含むこともできる。
【００５５】
［００６３］代替として、第２のフレーム間スペース任意選択肢は、６ＭＨｚ及び７ＭＨｚの動作に関しては２６μｓ及び８ＭＨｚの動作に関しては２１μｓのＴＶＨＴ  ＰＨＹに関するスロット時間を含むことができる。第２のフレーム間スペース任意選択肢は、６ＭＨｚ及び７ＭＨｚの動作に関しては１１５μｓ及び８ＭＨｚの動作に関しては８６μｓのＴＶＨＴ  ＰＨＹに関するＳＩＦＳを含むことができる。
【００５６】
［００６４］第１のフレーム間スペース任意選択肢、第２のフレーム間スペース任意選択肢、第３のフレーム間スペース任意選択肢、又はそれらの組み合わせのスロット時間及びＳＩＦＳ値は、図２において示されるように典型的なタイミング間隔に部分的に基づいて計算することができる。例えば、第３のフレーム間スペース任意選択肢に含まれるスロット時間及びＳＩＦＳ値は、１つ以上の値及び仮定事項、例えば、１つ以上の値及び空気伝播時間、Ｒｘ物理層コンバージェンス手順（ＰＬＣＰ）遅延、ＭＡＣ処理遅延、Ｔｘ  ＰＬＣＰ遅延、Ｔｘランプ・オン・タイム、ＲｘＴＸスイッチ時間、ＴＸ  ＲＦ遅延、Ｒｘ  ＲＦ遅延、又はＣＣＡ時間と関連付けられた仮定事項、に部分的に基づいて計算することができる。
【００５７】
［００６５］空気伝播時間（ａＡｉｒＰｒｏｐａｇａｔｉｏｎＴｉｍｅ）は、スロット同期化されている最も遠い許容可能な局間の距離を信号が横断するための伝播時間（マイクロ秒）の２倍であることができる。例えば、ＩＥＥＥ８０２．１１ｎ／ａｃ及びＩＥＥＥ８０２．１１ａｈにそれぞれ関連する３００及び９００ｍの範囲を仮定すると、空気伝播時間の対応する値は、２μｓ及び６μｓであることができる。
【００５８】
［００６６］Ｒｘ  ＰＬＣＰ遅延（ａＲｘＰＬＣＰＤｅｌａｙ）、ＭＡＣ処理遅延（ａＭＡＣＰｒｏｃｅｓｓｉｎｇＤｅｌａｙ）、及びＴｘ  ＰＬＣＰ遅延（ａＴｘＰＬＣＰＤｅｌａｙ）は、デジタル処理遅延を含み、それは、デジタルクロックレートに依存することができる。Ｒｘ  ＰＬＣＰ遅延（ａＲｘＰＬＣＰＤｅｌａｙ）、ＭＡＣ処理遅延（ａＭＡＣＰｒｏｃｅｓｓｉｎｇＤｅｌａｙ）、及びＴｘ  ＰＬＣＰ遅延（ａＴｘＰＬＣＰＤｅｌａｙ）は、６ＭＨｚ／７ＭＨｚ及び８ＭＨｚに関してそれぞれ４０／５．３３（例えば、７．５）又は４０／７．１１（例えば、５．６２５）によってスケーリングすることができる。ＭＡＣ計算は、送信前（例えば、以前に）行うことができるため、スロットに関するＭＡＣ処理時間はゼロに設定することができる。
【００５９】
［００６７］Ｔｘランプ・オン・タイム（ａＴｘＲａｍｐＯｎＴｉｍｅ）及びＲｘＴＸスイッチ時間（ａＲｘＴｘＳｗｉｔｃｈＴｉｍｅ）は、ＩＥＥＥ８０２．１１ｎ／ａｃ及びＩＥＥＥ８０２．１１ａｈにおける場合と同じであると仮定することができる。ＴＸ  ＲＦ遅延（ａＴｘＲＦＤｅｌａｙ）及びＲｘ  ＲＦ遅延（ａＲｘＲＦＤｅｌａｙ）は、ＩＥＥＥ８０２．１１ｎ／ａｃ及びＩＥＥＥ８０２．１１ａｈにおける場合と同じフィルタ順序を仮定した場合、ＩＥＥＥ８０２．１１ｎ／ａｃ及びＩＥＥＥ８０２．１１ａｈと比較して、帯域幅スケーリングに起因して２０／．５３３３（例えば、３７．５）だけ各々増大する。ＣＣＡ時間は、６ＭＨｚ帯域幅チャネル又は７ＭＨｚ帯域幅チャネルに関しては１５μｓであることができる。
【００６０】
［００６８］さらに、Ｔｘフィルタは、ＩＥＥＥ８０２．１１ａｆのスペクトルマスクに関する制約事項を満たすためにＩＥＥＥ８０２．１１ｎ／ａｃ及びＩＥＥＥ８０２．１１ａｈの場合よりも約２倍長くなると仮定することができる。例えば、スペクトルマスクに関する制約事項は、１つ以上の規制ドメインに基づく要求事項を含むことができる。
【００６１】
［００６９］第３のフレーム間スペース任意選択肢と関連して使用される典型的な値が表３及び４を参照して提供されている。表３において、ＳＩＦＳは、単位がマイクロ秒（μｓ）であり、表４において、スロット時間の単位はマイクロ秒（μｓ）である。
【００６２】
［００７０］
【表３】
2015528225.tif 000005
【００６３】
［００７１］
【表４】
2015528225.tif 000006
【００６４】
［００７２］非ＨＴ（非高スループット）複製（ｄｕｐｌｉｃａｔｅ）送信
［００７３］送信された物理層コンバージェンス手順（ＰＬＣＰ）プロトコルデータユニット（ＰＰＤＵ）は、送信機局（例えば、図１の送信機局１０６）のフォーマットパラメータが非ＨＴであるとき及び非ＨＴ変調パラメータが非ＨＴ複製直交周波数分割多重（ＯＦＤＭ）であるときには非ＨＴ複製である。非ＨＴ複製送信モードは、送信範囲を拡張するために及びフレーム交換を制御するために使用することができる。複数のフィールド、例えば、ＶＨＴ−信号（ＳＩＧ）−Ａフィールド、ＶＨＴショートトレーニングフィールド（ＳＴＦ）フィールド、ＶＨＴロングトレーニングフィールド（ＬＴＦ）、ＶＨＴ−ＳＩＧ−Ｂフィールド、Ｌ−ＳＴＦ、Ｌ−ＬＴＦフィールド、及びＬ−ＳＩＧフィールド、を含むＰＰＤＵに関しては、ＶＨＴ−ＳＩＧ−Ａフィールド、ＶＨＴ−ＳＴＦフィールド、ＶＨＴ−ＬＴＦフィールド、及びＶＨＴ−ＳＩＧ−Ｂフィールドは送信することができず、Ｌ−ＳＴＦ、Ｌ−ＬＴＦフィールド及びＬ−ＳＩＧフィールドは、ＴＶＨＴ送信の場合と同じ方法で送信することができ、幾つかの例外（例えば、レート及び長さフィールド）が存在する。
【００６５】
［００７４］非ＨＴ複製フォーマットを用いたモード１送信の場合は、データフィールドは、規格に準拠して生成することができる。非ＨＴ複製フォーマットを用いた単一のＢＣＵ送信の場合は、データフィールドは、ＩＥＥＥ８０２．１１ｎにおいて定義されるように生成することができる（ＩＥＥＥ８０２．１１規格の条項２０を参照）。マルチセグメント送信（例えば、モード２Ｃ、モード４Ｃ、モード２Ｎ、及びモード４Ｎ）に関しては、各周波数セグメントにおけるデータ送信（例えば、データフィールド）は、モード１非ＨＴ複製送信の場合と同じであることができる。
【００６６】
［００７５］図３を参照し、超高スループット（ＶＨＴ）データシンボルを送信するための方法３００の第１の例示的な実施形態の流れ図が描かれる。例えば、超高スループット（ＶＨＴ）データシンボルは、図１のパケット１３０に含めることができる。
【００６７】
［００７６］超高スループット（ＶＨＴ）データシンボルは、３０２において、局で生成することができる。例えば、局は、図１の局１０６を含むことができる。
【００６８】
［００７７］３０４において、ＶＨＴデータシンボルが局から送信される。ＶＨＴデータシンボルは、ＴＶＨＴ帯域幅チャネルを介して局から送信することができる。例えば、ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。特定の実施形態においては、ＴＶＨＴ帯域幅チャネルを介してのＶＨＴデータシンボルの送信は、ＶＨＴデータシンボルと関連付けられたスペクトルフラット性制約事項を満たしている。例えば、スペクトルフラット性制約事項は、表１−最大送信スペクトルフラット性偏差に含まれる値のうちの１つ以上に基づいて満たされていると決定することができる。
【００６９】
［００７８］特定の実施形態においては、スペクトルフラット性制約事項は、ＴＶＨＴデータシンボルの、第１のインデックス範囲内に含まれているインデックスを有する、２位相偏移変調（ＢＰＳＫ）された副搬送波の平均コンステレーションエネルギー値が、ＴＶＨＴデータシンボルの複数のＢＰＳＫ変調された副搬送波の複数の平均コンステレーションエネルギー値の平均の偏差範囲内にあるときに満たされている。ＢＰＳＫ変調された副搬送波は、第１のインデックス範囲に含まれているインデックスを有することができ、複数のＢＰＳＫ変調された副搬送波の各々は、第２のインデックス範囲内に含まれているインデックスを有することができる。
【００７０】
［００７９］図４を参照し、超高スループット（ＶＨＴ）データシンボルを送信するための方法４００の第２の例示的な実施形態の流れ図が描かれる。例えば、超高スループット（ＶＨＴ）データシンボルは、図１のパケット１３０に含めることができる。
【００７１】
［００８０］４０２において、超高スループット（ＶＨＴ）データシンボルを局で生成することができる。例えば、局は、図１の局１０６を含むことができる。
【００７２】
［００８１］４０４において、ＶＨＴデータシンボルが、テレビ（ＴＶ）高スループット（ＴＶＨＴ）帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。ＴＶＨＴ帯域幅チャネルの送信中心周波数は、ターゲット送信中心周波数の−２５パーツ・パー・ミリオン（ｐｐｍ）乃至＋２５ｐｐｍの範囲内にあることができる。送信中心周波数は、ＶＨＴデータシンボルが送信されるＴＶＨＴ帯域幅チャネルの中心であることができる。特定の実施形態においては、範囲は、両端の数字を含む。
【００７３】
［００８２］図５を参照し、超高スループット（ＶＨＴ）データシンボルを送信するための方法５００の第３の例示的な実施形態の流れ図が描かれる。例えば、超高スループット（ＶＨＴ）データシンボルは、図１のパケット１３０に含めることができる。
【００７４】
［００８３］５０２において、超高スループット（ＶＨＴ）データシンボルを局で生成することができる。例えば、局は、図１の局１０６を含むことができる。
【００７５】
［００８４］５０４において、ＶＨＴデータシンボルがＴＶＨＴ帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。局の発振器から導き出されたシンボルクロック周波数は、ターゲットシンボルクロック周波数の−２５ｐｐｍ乃至＋２５ｐｐｍの範囲内にある。シンボルクロック周波数は、ＶＨＴデータシンボルを生成又は送信するために使用される周波数である。特定の実施形態においては、範囲は、両端の数字を含む。
【００７６】
［００８５］図６を参照し、プロトコルデータユニット（ＰＰＤＵ）を送信するための方法６００の第４の例示的な実施形態の流れ図が描かれる。例えば、ＰＰＤＵは、図１のパケット１３０に含めることができる。
【００７７】
［００８６］６０２において、プロトコルデータユニット（ＰＰＤＵ）を局で生成することができる。例えば、局は、図１の局１０６を含むことができる。特定の実施形態においては、ＰＰＤＵは、１つの周波数セグメント、２つの隣接する周波数セグメント、又は４つの隣接する周波数セグメントを用いた送信と関連付けられる。
【００７８】
［００８７］６０４において、ＰＰＤＵが、テレビ（ＴＶ）高スループット（ＴＶＨＴ）帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。無線周波数局部発振器（ＲＦ  ＬＯ）がＴＶＨＴ帯域幅チャネルの中心にあるときには、分解能帯域幅を用いてＴＶＨＴ帯域幅チャネルの中心で測定された電力は、送信されたＰＰＤＵの副搬送波当たりの平均電力又はＰ−１０ｌｏｇ１０（ＮＳＴ）の値よりも小さい。Ｐは、総送信電力であり、ＮＳＴは、周波数セグメント当たりの副搬送波の数である。ＲＦ  ＬＯは、ＴＶＨＴ帯域幅を介してＰＰＤＵを送信するために使用することができる。
【００７９】
［００８８］特定の実施形態においては、周波数セグメントは、６ＭＨｚ帯域幅チャネル、７ＭＨｚ帯域幅チャネル、８ＭＨｚ帯域幅チャネル、又はそれらの組み合わせを含む。他の特定の実施形態においては、分解能帯域幅は、６／１４４ＭＨｚ又は８／１４４ＭＨｚである。
【００８０】
［００８９］図７を参照し、プロトコルデータユニット（ＰＰＤＵ）を送信するための方法７００の第５の例示的な実施形態の流れ図が描かれる。例えば、ＰＰＤＵは、図１のパケット１３０に含めることができる。
【００８１】
［００９０］７０２において、プロトコルデータユニット（ＰＰＤＵ）を局で生成することができる。例えば、局は、図１の局１０６を含むことができる。特定の実施形態においては、ＰＰＤＵは、１つの周波数セグメント、２つの隣接する周波数セグメント、又は４つの隣接する周波数セグメントを用いた送信と関連付けられる。
【００８２】
［００９１］７０４において、ＰＰＤＵが、テレビ（ＴＶ）高スループット（ＴＶＨＴ）帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。無線周波数局部発振器（ＲＦ  ＬＯ）がＴＶＨＴ帯域幅チャネルの中心にないときには、分解能帯域幅を用いてＲＦ  ＬＯの位置で測定された電力は、−２０ｄＢｍの第１の値又は−３２デシベル（ｄＢ）と総送信電力の和に等しい第２の値のうちの大きい方よりも小さい。ＲＦ  ＬＯは、ＴＶＨＴ帯域幅を介してＰＰＤＵを送信するために使用することができる。
【００８３】
［００９２］特定の実施形態においては、周波数セグメントは、６メガヘルツ（ＭＨｚ）帯域幅チャネル、７ＭＨｚ帯域幅チャネル、８ＭＨｚ帯域幅チャネル、又はそれらの組み合わせを含む。他の特定の実施形態においては、分解能帯域幅は、６／１４４ＭＨｚ又は８／１４４ＭＨｚである。
【００８４】
［００９３］図８を参照し、プロトコルデータユニット（ＰＰＤＵ）を送信するための方法８００の第６の例示的な実施形態の流れ図が描かれる。例えば、ＰＰＤＵは、図１のパケット１３０に含めることができる。
【００８５】
［００９４］８０２において、プロトコルデータユニット（ＰＰＤＵ）を局で生成することができる。例えば、局は、図１の局１０６を含むことができる。特定の実施形態においては、ＰＰＤＵは、１つの周波数セグメント、２つの隣接する周波数セグメント、又は４つの隣接する周波数セグメントを用いた送信と関連付けられる。
【００８６】
［００９５］８０４において、ＰＰＤＵが、テレビ（ＴＶ）高スループット（ＴＶＨＴ）帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、ＲＦ  ＬＯは、１つ以上のスペクトルマスク制約事項に準拠する。２つの隣接する周波数セクションの各周波数セクションは、２つの隣接する周波数セグメントを含む。特定の実施形態においては、１つ以上のスペクトルマスク制約事項は、ＩＥＥＥ８０２．１１ａｃ規格の送信スペクトルに関する節に含められる。
【００８７】
［００９６］図９を参照し、超高スループット（ＶＨＴ）データシンボルを送信するための方法９００の第７の例示的な実施形態の流れ図が描かれる。例えば、超高スループット（ＶＨＴ）データシンボルは、図１のパケット１３０に含めることができる。
【００８８】
［００９７］９０２において、超高スループット（ＶＨＴ）データシンボルを局で生成することができる。例えば、局は、図１の局１０６を含むことができる。
【００８９】
［００９８］９０４において、ＶＨＴデータシンボルが、テレビ（ＴＶ）高スループット（ＴＶＨＴ）帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。ＴＶＨＴ帯域幅チャネルは、送信機コンステレーションエラー制約事項に準拠する送信コンステレーション二乗平均平方根（ＲＭＳ）エラーを有する。特定の実施形態においては、送信機コンステレーションエラー制約事項は、ＩＥＥＥ８０２．１１ａｃ規格の送信機コンステレーションエラーに関する節に含まれている。
【００９０】
［００９９］図１０を参照し、超高スループット（ＶＨＴ）データシンボルを送信するための方法１０００の第８の例示的な実施形態の流れ図が描かれる。例えば、超高スループット（ＶＨＴ）データシンボルは、図１のパケット１３０に含めることができる。
【００９１】
［００１００］１００２において、超高スループット（ＶＨＴ）データシンボルを局で生成することができる。例えば、局は、図１の局１０６を含むことができる。
【００９２】
［００１０１］１００４において、ＶＨＴデータシンボルが、テレビ（ＴＶ）高スループット（ＴＶＨＴ）帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。ＴＶＨＴ帯域幅チャネルを介してＶＨＴデータシンボルを送信するために１つ以上のフレーム間タイミングパラメータが使用される。
【００９３】
［００１０２］例えば、１００６において、６ＭＨｚ帯域幅チャネルに関して又は７ＭＨｚ帯域幅チャネルに関して、１つ以上のフレーム間タイミングパラメータは、１５マイクロ秒（μｓ）のクリアチャネルアセスメント（ＣＣＡ）スレショルド時間を含む。特定の実施形態においては、６ＭＨｚ帯域幅チャネル又は７ＭＨｚ帯域幅チャネルを介して送信されたＶＨＴデータシンボルと関連付けられたＣＣＡ時間は、１５μｓのＣＣＡスレショルド時間よりも小さい。
【００９４】
［００１０３］他の例として、１００８において、８ＭＨｚ帯域幅チャネルに関しては、１つ以上のフレーム間タイミングパラメータは、１１．２５μｓのクリアチャネルアセスメント（ＣＣＡ）時間を含む。特定の実施形態においては、８ＭＨｚ帯域幅チャネルを介して送信されたＶＨＴデータシンボルと関連付けられたＣＣＡ時間は、１１．２５μｓのＣＣＡスレショルド時間よりも小さい。
【００９５】
［００１０４］図１１を参照し、超高スループット（ＶＨＴ）データシンボルを送信するための方法１１００の第９の例示的な実施形態の流れ図が描かれる。例えば、超高スループット（ＶＨＴ）データシンボルは、図１のパケット１３０に含めることができる。
【００９６】
［００１０５］１１０２において、超高スループット（ＶＨＴ）データシンボルを局で生成することができる。例えば、局は、図１の局１０６を含むことができる。
【００９７】
［００１０６］１１０４において、ＶＨＴデータシンボルが、テレビ（ＴＶ）高スループット（ＴＶＨＴ）帯域幅チャネルを介して局から送信される。ＴＶＨＴ帯域幅チャネルは、６ＭＨｚ帯域幅チャネル、７ＭＨｚ帯域幅チャネル、８ＭＨｚ帯域幅チャネル、又はそれらの組み合わせを含むことができる。ＴＶＨＴ帯域幅チャネルを介してＶＨＴデータシンボルを送信するために１つ以上のフレーム間タイミングパラメータが使用される。１１０６において、１つ以上のフレーム間タイミングパラメータは、６ＭＨｚ帯域幅チャネル又は７ＭＨｚ帯域幅チャネルに関しては１２０マイクロ秒（μｓ）、８ＭＨｚ帯域幅チャネル、又はそれらの組み合わせに関しては１１．２５μｓの短フレーム間スペース（ＳＩＦＳ）時間を含む。
【００９８】
［００１０７］図３の方法３００、図４の方法４００、図５の方法５００、図６の方法６００、図７の方法７００、図８の方法８００、図９の方法９００、図１０の方法１０００、図１１の方法１１００、又はそれらのあらゆる組み合わせは、フィールドプログラマブルゲートアレイ（ＦＰＧＡ）デバイス、特定用途向け集積回路（ＡＳＩＣ）、処理ユニット、例えば、中央処理装置（ＣＰＵ）、デジタル信号プロセッサ（ＤＳＰ）、コントローラ、他のハードウェアデバイス、ファームウェアデバイス、又はそれらのあらゆる組み合わせによって実装すること、又はその他の形で実行することができる。一例として、図３の方法３００、図４の方法４００、図５の方法５００、図６の方法６００、図７の方法７００、図８の方法８００、図９の方法９００、図１０の方法１０００、図１１の方法１１００、又はそれらのあらゆる組み合わせの少なくとも一部分は、図１２に関して説明されるように、メモリに格納された命令を実行するプロセッサによって実装することができる。
【００９９】
［００１０８］図１２は、テレビ高スループット通信を用いてデータを送信又は受信するように構成されたデバイス１２００（例えば、通信デバイス）の特定の実施形態のブロック図である。デバイス１２００は、無線電子デバイスであることができ及びメモリ１２３２に結合されたプロセッサ１２１０、例えば、デジタル信号プロセッサ（ＤＳＰ）、を含むことができる。例えば、デバイス１２００は、図１の送信機局１０６又は受信機局１６０を含むことができる。
【０１００】
［００１０９］プロセッサ１２１０は、メモリ１２３２に格納されたソフトウェア１２６６（例えば、１つ以上の命令のプログラム）を実行するように構成することができる。例えば、プロセッサ１２１０は、図１のプロセッサ１０８又はプロセッサ１６８を含むことができる。特定の実施形態においては、プロセッサ１２１０は、図３の方法３００、図４の方法４００、図５の方法５００、図６の方法６００、図７の方法７００、図８の方法８００、図９の方法９００、図１０の方法１０００、図１１の方法１１００、又はそれらのあらゆる組み合わせの少なくとも一部分により動作するように構成することができる。メモリ１２３２は、ＴＶＷＳ１２６８（例えば、ＴＶＷＳネットワーク）に関するＰＨＹパラメータを含むこともできる。例えば、ＴＶＷＳ１２６８に関するＰＨＹパラメータは、図１のＰＨＹパラメータ１１２、１７２を含むことができ及び表１乃至４において例示される１つ以上のパラメータ値を含むことができる。ＴＶＷＳ１２６８に関するＰＨＹパラメータのうちの１つ以上は、１つ以上のデータパケット（例えば、１つ以上のデータシンボル）の送信又は受信と関係させてデバイス１２００によって使用することができる。
【０１０１】
［００１１０］特定の実施形態においては、プロセッサ１２１０は、非一時的なコンピュータによって読み取り可能な媒体、例えば、メモリ１２３２、に格納されたコンピュータによって実行可能な命令（例えば、ソフトウェア１２６６）を実行するように構成することができる。命令は、図３の方法３００、図４の方法４００、図５の方法５００、図６の方法６００、図７の方法７００、図８の方法８００、図９の方法９００、図１０の方法１０００、図１１の方法１１００、又はそれらのあらゆる組み合わせの少なくとも一部分を実行することをコンピュータ、例えば、プロセッサ１２１０、に行わせるために実行可能である。例えば、コンピュータによって実行可能な命令は、データパケット（例えば、ＰＰＤＵ又はＶＨＴデータシンボル）を生成又は処理することをプロセッサに行わせるために実行可能であることができる。コンピュータによって実行可能な命令（例えば、ソフトウェア１２６６）は、ＴＶＨＴ帯域幅チャネル（例えば、ＴＶＷＳネットワーク）を介してのデータパケットの送信を開始すること又はデータパケットを受信することをプロセッサ１２１０に行わせるためにさらに実行可能である。
【０１０２】
［００１１１］プロセッサ１２１０は、符号器１２５２と、復号器１２５４と、を含むことができる。例えば、符号器１２５２及び復号器１２５４は、図１のパケット生成符号化モジュール１１４と、パケット復号モジュール１７４と、をそれぞれ含むことができる。符号器１２５２及び復号器１２５４は、図１２ではプロセッサ１２１０に含まれているとして示されているが、符号器１２５２、復号器１２５４、又はそれらの組み合わせは、デバイス１２００の１つ以上のその他のコンポーネント、例えば、無線インタフェース１２４０、に含めること又は結合させることができる。
【０１０３】
［００１１２］デバイス１２００は、発振器１２８０を含むこともできる。特定の実施形態においては、発振器１２８０は、複数の発振器（例えば、１つ以上の無線周波数（ＲＦ）局部発振器（ＲＦ  ＬＯ））を含む。特定の実施形態においては、発振器１２８０（例えば、基準発振器）は、１つ以上の信号、例えば、送信中心周波数、シンボルクロック周波数、又はそれらの組み合わせ、を導き出すために使用される。発振器１２８０は、デバイス１２００の１つ以上のコンポーネント、例えば、プロセッサ１２１０、無線インタフェース１２４０、又はコーダ／デコーダ（ＣＯＤＥＣ）１２３４、に含めること又は結合することができる。発振器１２８０は、ＴＶＷＳ１２６８に関するＰＨＹパラメータに基づく又は準拠する送信中心周波数又はシンボルクロック周波数を提供するように構成することができる。例えば、発振器１２８０は、送信中心周波数公差内にある送信中心周波数を生成すること又はシンボルクロック周波数公差内にあるシンボルクロック周波数を生成することができる。
【０１０４】
［００１１３］プロセッサ１２１０にはカメラインタフェース１２９６を結合することができ、及びカメラ、例えば、ビデオカメラ１２９８、に結合することもできる。プロセッサ１２１０及び表示デバイス１２２８にはディスプレイコントローラ１２２６を結合することができる。ＣＯＤＥＣ１２３４もプロセッサ１２１０に結合することができる。ＣＯＤＥＣ１２３４にはスピーカー１２３６及びマイク１２３８を結合することができる。デバイス１２００は、デバイス１２００に含まれる又は結合される１つ以上のコンポーネントに電力を提供するように構成された電源１２４４を含むこと又は電源１２４４に結合することもできる。
【０１０５】
［００１１４］無線インタフェース１２４０は、プロセッサ１２１０及びアンテナ１２４２に結合することができ、従って、アンテナ１２４２及び無線インタフェース１２４０を介して受信された無線データをプロセッサ１２１０に提供することができる。例えば、無線インタフェース１２４０は、図１の無線コントローラ１１６、送信機１１８、無線コントローラ１７６、受信機１７８、図１に関して説明される１つ以上の送信チェーン又は１つ以上の受信チェーン、又はそれらの組み合わせを含むこと又はこれらに対応することができる。図１２では単一の無線インタフェース１２４０及びアンテナ１２４２が示されるが、デバイス１２００は、複数の無線インタフェース、複数のアンテナ、又はそれらの組み合わせを含むことができる。
【０１０６】
［００１１５］特定の実施形態においては、プロセッサ１２１０、ディスプレイコントローラ１２２６、メモリ１２３２、ＣＯＤＥＣ１２３４、無線インタフェース１２４０、カメラインタフェース１２９６、発振器１２８０、又はそれらの組み合わせは、システム・イン・パッケージ又はシステム・オン・チップデバイス１２２２に含められる。特定の実施形態においては、入力デバイス１２３０及び電源１２４４がシステム・オン・チップデバイス１２２２に結合される。さらに、特定の実施形態においては、図１２において例示されるように、表示デバイス１２２８、入力デバイス１２３０、スピーカー１２３６、マイク１２３８、無線アンテナ１２４２、ビデオカメラ１２９８、及び電源１２４４は、システム・オン・チップデバイス１２２２の外部に存在する。しかしながら、表示デバイス１２２８、入力デバイス１２３０、スピーカー１２３６、マイク１２３８、無線アンテナ１２４２、ビデオカメラ１２９８、及び電源１２４４の各々は、システム・オン・チップデバイス１２２２のコンポーネント、例えば、インタフェース又はコントローラ、に結合することができる。
【０１０７】
［００１１６］説明される実施形態のうちの１つ以上と関係して、超高スループット（ＶＨＴ）データシンボルを生成するための手段を含む装置が開示される。生成するための手段は、図１のプロセッサ１０８、パケット生成符号化モジュール、図１２のプロセッサ１２１０、符号器１２５２、無線通信インタフェース１２４０、ＶＨＴデータシンボルを生成するように構成された１つ以上のその他のデバイス又は回路（例えば、図１を参照して説明される送信チェーン）、又はそれらのあらゆる組み合わせを含むことができる。
【０１０８】
［００１１７］装置は、テレビ（ＴＶ）高スループット（ＴＶＨＴ）帯域幅チャネルを介してＶＨＴデータシンボルを送信するための手段も含むことができる。送信するための手段は、図１の無線コントローラ１１６、送信機１１８、アンテナ１２０、図１２の無線インタフェース１２４０、アンテナ１２４２、ＴＶＨＴ帯域幅チャネルを介してＶＨＴデータシンボルを生成するように構成された１つ以上のその他のデバイス又は回路（例えば、図１を参照して説明される送信チェーン）、又はそれらのあらゆる組み合わせを含むことができる。
【０１０９】
［００１１８］他の実施形態では、プロトコルデータユニット（ＰＰＤＵ）を生成するための手段を含む装置が開示される。生成するための手段は、図１のプロセッサ１０８、パケット生成符号化モジュール１１４、図１２のプロセッサ１２１０、符号器１２５２、無線通信インタフェース１２４０、ＰＰＤＵを生成するように構成された１つ以上のその他のデバイス又は回路（例えば、図１を参照して説明される送信チェーン）、又はそれらのあらゆる組み合わせを含むことができる。
【０１１０】
［００１１９］装置は、テレビ（ＴＶ）高スループット（ＴＶＨＴ）帯域幅チャネルを介してＰＰＤＵを送信するための手段も含むことができる。送信するための手段は、図１の無線コントローラ１１６、送信機１１８、アンテナ１２０、図１２の無線インタフェース１２４０、アンテナ１２４２、ＴＶＨＴ帯域幅チャネルを介してＰＰＤＵを送信するように構成された１つ以上のその他のデバイス又は回路（例えば、図１を参照して説明される送信チェーン）、又はそれらのあらゆる組み合わせを含むことができる。
【０１１１】
［００１２０］他の実施形態では、テレビ（ＴＶ）高スループット（ＴＶＨＴ）帯域幅チャネルを介して超高スループット（ＶＨＴ）データシンボルを受信するための手段を含む装置が開示される。受信するための手段は、図１の無線コントローラ１７６、受信機１７８、アンテナ１８０、図１２の無線インタフェース１２４０、ＴＶＨＴ帯域幅チャネルを介してＶＨＴデータシンボルを受信するように構成された１つ以上のその他のデバイス又は回路（例えば、図１を参照して説明される受信チェーン）、又はそれらのあらゆる組み合わせを含むことができる。
【０１１２】
［００１２１］装置は、ＶＨＴデータシンボルを処理するための手段も含むことができる。処理するための手段は、図１のプロセッサ１６８、パケット復号モジュール１７４、図１２のプロセッサ１２１０、復号器１２５４、無線インタフェース１２４０、ＶＨＴデータシンボルを処理するように構成された１つ以上のその他のデバイス又は回路（例えば、図１を参照して説明される受信チェーン）、又はそれらのあらゆる組み合わせを含むことができる。
【０１１３】
［００１２２］他の実施形態では、テレビ（ＴＶ）高スループット（ＴＶＨＴ）帯域幅チャネルを介してプロトコルデータユニット（ＰＰＤＵ）を受信するための手段を含む装置が開示される。受信するための手段は、図１の無線コントローラ１７６、受信機１７８、アンテナ１８０、図１２の無線インタフェース１２４０、ＴＶＨＴ帯域幅チャネルを介してＰＰＤＵを受信するように構成された１つ以上のその他のデバイス又は回路（例えば、図１を参照して説明される受信チェーン）、又はそれらのあらゆる組み合わせを含むことができる。
【０１１４】
［００１２３］装置は、ＰＰＤＵを処理するための手段も含むことができる。処理するための手段は、図１のプロセッサ１６８、パケット復号モジュール１７４、図１２のプロセッサ１２１０、復号器１２５４、無線インタフェース１２４０、ＰＰＤＵを処理するように構成された１つ以上のその他のデバイス又は回路（例えば、図１を参照して説明される受信チェーン）、又はそれらのあらゆる組み合わせを含むことができる。
【０１１５】
［００１２４］さらに特定の実施形態においては、装置は、超高スループット（ＶＨＴ）データシンボルを生成するための手段を含む。装置は、テレビ（ＴＶ）高スループット（ＴＶＨＴ）帯域幅チャネルを介してＶＨＴデータシンボルを送信するための手段も含む。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して及び７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を含む。
【０１１６】
［００１２５］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介しての超高スループット（ＶＨＴ）データシンボルの送信を開始することをプロセッサに行わせる命令を含む。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して及び７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を含む。
【０１１７】
［００１２６］さらに特定の実施形態においては、装置は、超高スループット（ＶＨＴ）データシンボルを生成するための手段を含む。装置は、テレビ（ＴＶ）高スループット（ＴＶＨＴ）帯域幅チャネルを介してＶＨＴデータシンボルを送信するための手段も含む。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して及び７ＭＨｚ帯域幅チャネルに関しては１２０μｓ、８ＭＨｚ帯域幅チャネル、又はそれらの組み合わせに関しては９０μｓの短フレーム間スペース（ＳＩＦＳ）時間を含む。
【０１１８】
［００１２７］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介しての超高スループット（ＶＨＴ）データシンボルの送信を開始することをプロセッサに行わせる命令を含む。ＴＶＨＴ帯域幅チャネルを介してＶＨＴデータシンボルを送信するために１つ以上のフレーム間タイミングパラメータが使用される。１つ以上のフレーム間タイミングパラメータは、６メガヘルツ（ＭＨｚ）帯域幅チャネルに関して及び７ＭＨｚ帯域幅チャネルに関しては１２０μｓ、８ＭＨｚ帯域幅チャネル、又はそれらの組み合わせに関しては９０μｓのＳＩＦＳ時間を含む。
【０１１９】
［００１２８］特定の実施形態においては、方法は、テレビ（ＴＶ）高スループット（ＴＶＨＴ）帯域幅チャネルを介して局から超高スループット（ＶＨＴ）データシンボルを送信することを含む。ＴＶＨＴ帯域幅チャネルを介してのＶＨＴデータシンボルの送信は、ＶＨＴデータシンボルと関連付けられたスペクトルフラット性制約事項を満たす。
【０１２０】
［００１２９］他の特定の実施形態においては、デバイスは、プロセッサと、送信機と、を含む。プロセッサは、超高スループット（ＶＨＴ）データシンボルの送信を開始するように構成される。送信機は、テレビ（ＴＶ）高スループット（ＴＶＨＴ）帯域幅チャネルを介してＶＨＴデータシンボルを送信するように構成される。ＴＶＨＴ帯域幅チャネルを介してのＶＨＴデータシンボルの送信は、ＶＨＴデータシンボルと関連付けられたスペクトルフラット性制約事項を満たす。
【０１２１】
［００１３０］さらなる特定の実施形態においては、装置は、超高スループット（ＶＨＴ）データシンボルを生成するための手段を含む。装置は、テレビ（ＴＶ）高スループット（ＴＶＨＴ）帯域幅チャネルを介してＶＨＴデータシンボルを送信するための手段も含む。ＴＶＨＴ帯域幅チャネルを介してのＶＨＴデータシンボルの送信は、ＶＨＴデータシンボルと関連付けられたスペクトルフラット性制約事項を満たす。
【０１２２】
［００１３１］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介しての超高スループット（ＶＨＴ）データシンボルの送信を開始することをプロセッサに行わせる命令を含む。ＴＶＨＴ帯域幅チャネルを介してのＶＨＴデータシンボルの送信は、ＶＨＴデータシンボルと関連付けられたスペクトルフラット性制約事項を満たす。
【０１２３】
［００１３２］他の特定の実施形態においては、方法は、テレビ（ＴＶ）高スループット（ＴＶＨＴ）帯域幅チャネルを介して局の送信機から超高スループット（ＶＨＴ）データシンボルを送信することを含む。ＴＶＨＴ帯域幅チャネルの送信中心周波数は、ターゲット送信中心周波数の−２５パーツ・パー・ミリオン（ｐｐｍ）乃至＋２５ｐｐｍの範囲内にある。代替として又はさらに加えて、ＶＨＴデータシンボルの送信中に使用されるシンボルクロック周波数は、ターゲットシンボルクロック周波数の−２５パーツ・パー・ミリオン（ｐｐｍ）乃至＋２５ｐｐｍの範囲内にある。
【０１２４】
［００１３３］他の特定の実施形態においては、デバイスは、プロセッサと、送信機と、を含む。プロセッサは、超高スループット（ＶＨＴ）データシンボルの送信を開始するように構成される。送信機は、テレビ（ＴＶ）高スループット（ＴＶＨＴ）帯域幅チャネルを介してＶＨＴデータシンボルを送信するように構成される。ＴＶＨＴ帯域幅チャネルの送信中心周波数は、ターゲット送信中心周波数の−２５パーツ・パー・ミリオン（ｐｐｍ）乃至＋２５ｐｐｍの範囲内にある。代替として又はさらに加えて、ＶＨＴデータシンボルの送信中に使用されるシンボルクロック周波数は、ターゲットシンボルクロック周波数の−２５ｐｐｍ乃至＋２５ｐｐｍの第２の範囲内にある。
【０１２５】
［００１３４］さらなる特定の実施形態においては、装置は、超高スループット（ＶＨＴ）データシンボルを生成するための手段を含む。装置は、テレビ（ＴＶ）高スループット（ＴＶＨＴ）帯域幅チャネルを介してＶＨＴデータシンボルを送信するための手段も含む。ＴＶＨＴ帯域幅チャネルの送信中心周波数は、ターゲット送信中心周波数の−２５パーツ・パー・ミリオン（ｐｐｍ）乃至＋２５ｐｐｍの範囲内にある。代替として又はさらに加えて、ＶＨＴデータシンボルの送信中に使用されるシンボルクロック周波数は、ターゲットシンボルクロック周波数の−２５ｐｐｍ乃至＋２５ｐｐｍの第２の範囲内にある。
【０１２６】
［００１３５］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介しての超高スループット（ＶＨＴ）データシンボルの送信を開始することをプロセッサに行わせる命令を含む。ＴＶＨＴ帯域幅チャネルの送信中心周波数は、ターゲット送信中心周波数の−２５ｐｐｍ乃至＋２５ｐｐｍの範囲内にある。代替として又はさらに加えて、ＶＨＴデータシンボルの送信中に使用されるシンボルクロック周波数は、ターゲットシンボルクロック周波数の−２５ｐｐｍ乃至＋２５ｐｐｍの第２の範囲内にある。
【０１２７】
［００１３６］他の特定の実施形態においては、方法は、テレビ（ＴＶ）高スループット（ＴＶＨＴ）帯域幅チャネルを介して局からプロトコルデータユニット（ＰＰＤＵ）を送信することを含む。ＰＰＤＵの送信中に使用される無線周波数局部発振器（ＲＦ  ＬＯ）がＴＶＨＴ帯域幅チャネルの中心にあるときには、分解能帯域幅を用いてＴＶＨＴ帯域幅チャネルの中心で測定された電力は、送信されたＰＰＤＵの副搬送波当たりの平均電力よりも小さいか又はＰ−１０ｌｏｇ１０（ＮＳＴ）の値よりも小さい。Ｐは、総送信電力であり、ＮＳＴは、周波数セグメント当たりの副搬送波の数である。
【０１２８】
［００１３７］他の特定の実施形態においては、デバイスは、プロセッサと、送信機と、を含む。プロセッサは、プロトコルデータユニット（ＰＰＤＵ）の送信を開始するように構成される。送信機は、テレビ（ＴＶ）高スループット（ＴＶＨＴ）帯域幅チャネルを介してＰＰＤＵを送信するように構成される。ＰＰＤＵの送信中に使用される無線周波数局部発振器（ＲＦ  ＬＯ）がＴＶＨＴ帯域幅チャネルの中心にあるときには、分解能帯域幅を用いてＴＶＨＴ帯域幅チャネルの中心で測定された電力は、送信されたＰＰＤＵの副搬送波当たりの平均電力よりも小さいか又はＰ−１０ｌｏｇ１０（ＮＳＴ）の値よりも小さい。Ｐは、総送信電力であり、ＮＳＴは、周波数セグメント当たりの副搬送波の数である。
【０１２９】
［００１３８］さらなる特定の実施形態においては、装置は、プロトコルデータユニット（ＰＰＤＵ）を生成するための手段を含む。装置は、テレビ（ＴＶ）高スループット（ＴＶＨＴ）帯域幅チャネルを介してＰＰＤＵを送信するための手段も含む。ＰＰＤＵの送信中に使用される無線周波数局部発振器（ＲＦ  ＬＯ）がＴＶＨＴ帯域幅チャネルの中心にあるときには、分解能帯域幅を用いてＴＶＨＴ帯域幅チャネルの中心で測定された電力は、送信されたＰＰＤＵの副搬送波当たりの平均電力よりも小さいか又はＰ−１０ｌｏｇ１０（ＮＳＴ）の値よりも小さい。Ｐは、総送信電力であり、ＮＳＴは、周波数セグメント当たりの副搬送波の数である。
【０１３０】
［００１３９］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介してのプロトコルデータユニット（ＰＰＤＵ）の送信を開始することをプロセッサに行わせる命令を含む。ＰＰＤＵの送信中に使用される無線周波数局部発振器（ＲＦ  ＬＯ）がＴＶＨＴ帯域幅チャネルの中心にあるときには、分解能帯域幅を用いてＴＶＨＴ帯域幅チャネルの中心で測定された電力は、送信されたＰＰＤＵの副搬送波当たりの平均電力よりも小さいか又はＰ−１０ｌｏｇ１０（ＮＳＴ）の値よりも小さい。Ｐは、総送信電力であり、ＮＳＴは、周波数セグメント当たりの副搬送波の数である。
【０１３１】
［００１４０］他の特定の実施形態においては、方法は、テレビ（ＴＶ）高スループット（ＴＶＨＴ）帯域幅チャネルを介して局からプロトコルデータユニット（ＰＰＤＵ）を送信することを含む。ＰＰＤＵの送信中に使用される無線周波数局部発振器（ＲＦ  ＬＯ）がＴＶＨＴ帯域幅チャネルの中心にないときには、分解能帯域幅を用いてＲＦ  ＬＯの位置で測定された電力は、−２０ｄＢｍの第１の値又は−３２デシベル（ｄＢ）と総送信電力の和に等しい第２の値のうちの大きい方よりも小さい。
【０１３２】
［００１４１］他の特定の実施形態においては、デバイスは、プロセッサと、送信機と、を含む。プロセッサは、プロトコルデータユニット（ＰＰＤＵ）の送信を開始するように構成される。送信機は、テレビ（ＴＶ）高スループット（ＴＶＨＴ）帯域幅チャネルを介してＰＰＤＵを送信するように構成される。ＰＰＤＵの送信中に使用される無線周波数局部発振器（ＲＦ  ＬＯ）がＴＶＨＴ帯域幅チャネルの中心にないときには、分解能帯域幅を用いてＲＦ  ＬＯの位置で測定された電力は、−２０ｄＢｍの第１の値又は−３２デシベル（ｄＢ）と総送信電力の和に等しい第２の値のうちの大きい方よりも小さい。
【０１３３】
［００１４２］さらなる特定の実施形態においては、装置は、プロトコルデータユニット（ＰＰＤＵ）を生成するための手段を含む。装置は、テレビ（ＴＶ）高スループット（ＴＶＨＴ）帯域幅チャネルを介してＰＰＤＵを送信するための手段も含む。ＰＰＤＵの送信中に使用される無線周波数局部発振器（ＲＦ  ＬＯ）がＴＶＨＴ帯域幅チャネルの中心にないときには、分解能帯域幅を用いてＲＦ  ＬＯの位置で測定された電力は、−２０ｄＢｍの第１の値又は−３２デシベル（ｄＢ）と総送信電力の和に等しい第２の値のうちの大きい方よりも小さい。
【０１３４】
［００１４３］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介してのプロトコルデータユニット（ＰＰＤＵ）の送信を開始することをプロセッサに行わせる命令を含む。ＰＰＤＵの送信中に使用される無線周波数局部発振器（ＲＦ  ＬＯ）がＴＶＨＴ帯域幅チャネルの中心にないときには、分解能帯域幅を用いてＲＦ  ＬＯの位置で測定された電力は、−２０ｄＢｍの第１の値又は−３２デシベル（ｄＢ）と総送信電力の和に等しい第２の値のうちの大きい方よりも小さい。
【０１３５】
［００１４４］他の特定の実施形態においては、方法は、テレビ（ＴＶ）高スループット（ＴＶＨＴ）帯域幅チャネルを介して局からプロトコルデータユニット（ＰＰＤＵ）を送信することを含む。送信されたＰＰＤＵが２つの隣接しない周波数セグメント又は２つの隣接しない周波数セクションを用いた送信と関連付けられているとき及び無線周波数局部発振器（ＲＦ  ＬＯ）が両方の隣接しない周波数セグメント又は両方の隣接しない周波数セクションの外側にあるときには、ＲＦ  ＬＯは、１つ以上のスペクトルマスクに関する制約事項に準拠する。２つの隣接する周波数セクションの各周波数セクションは、２つの隣接する周波数セグメントを含む。
【０１３６】
［００１４５］他の特定の実施形態においては、デバイスは、プロセッサと、送信機と、を含む。プロセッサは、プロトコルデータユニット（ＰＰＤＵ）の送信を開始するように構成される。送信機は、テレビ（ＴＶ）高スループット（ＴＶＨＴ）帯域幅チャネルを介してＰＰＤＵを送信するように構成される。送信されたＰＰＤＵが２つの隣接しない周波数セグメント又は２つの隣接しない周波数セクションを用いた送信と関連付けられているとき及び無線周波数局部発振器（ＲＦ  ＬＯ）が両方の隣接しない周波数セグメント又は両方の隣接しない周波数セクションの外側にあるときには、ＲＦ  ＬＯは、１つ以上のスペクトルマスクに関する制約事項に準拠する。２つの隣接する周波数セクションの各周波数セクションは、２つの隣接する周波数セグメントを含む。
【０１３７】
［００１４６］さらなる特定の実施形態においては、装置は、プロトコルデータユニット（ＰＰＤＵ）を生成するための手段を含む。装置は、テレビ（ＴＶ）高スループット（ＴＶＨＴ）帯域幅チャネルを介してＰＰＤＵを送信するための手段も含む。送信されたＰＰＤＵが２つの隣接しない周波数セグメント又は２つの隣接しない周波数セクションを用いた送信と関連付けられているとき及び無線周波数局部発振器（ＲＦ  ＬＯ）が両方の隣接しない周波数セグメント又は両方の隣接しない周波数セクションの外側にあるときには、ＲＦ  ＬＯは、１つ以上のスペクトルマスクに関する制約事項に準拠する。２つの隣接する周波数セクションの各周波数セクションは、２つの隣接する周波数セグメントを含む。
【０１３８】
［００１４７］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介してのプロトコルデータユニット（ＰＰＤＵ）の送信を開始することをプロセッサに行わせる命令を含む。送信されたＰＰＤＵが２つの隣接しない周波数セグメント又は２つの隣接しない周波数セクションを用いた送信と関連付けられているとき及び無線周波数局部発振器（ＲＦ  ＬＯ）が両方の隣接しない周波数セグメント又は両方の隣接しない周波数セクションの外側にあるときには、ＲＦ  ＬＯは、１つ以上のスペクトルマスクに関する制約事項に準拠する。２つの隣接する周波数セクションの各周波数セクションは、２つの隣接する周波数セグメントを含む。
【０１３９】
［００１４８］他の特定の実施形態においては、方法は、超高スループット（ＶＨＴ）データシンボルを局から送信することを含む。テレビ（ＴＶ）高スループット（ＴＶＨＴ）帯域幅チャネルを介してのＶＨＴデータシンボルの送信は、送信機コンステレーションエラー制約事項に準拠する送信コンステレーション二乗平均平方根（ＲＭＳ）エラーを有する。
【０１４０】
［００１４９］他の特定の実施形態においては、デバイスは、プロセッサと、送信機と、を含む。プロセッサは、超高スループット（ＶＨＴ）データシンボルの送信を開始するように構成される。送信機は、テレビ（ＴＶ）高スループット（ＴＶＨＴ）帯域幅チャネルを介してＶＨＴデータシンボルを送信するように構成される。テレビ（ＴＶ）高スループット（ＴＶＨＴ）帯域幅チャネルを介してのＶＨＴデータシンボルの送信は、送信機コンステレーションエラー制約事項に準拠する送信コンステレーション二乗平均平方根（ＲＭＳ）エラーを有する。
【０１４１】
［００１５０］さらなる特定の実施形態においては、装置は、超高スループット（ＶＨＴ）データシンボルを生成するための手段を含む。装置は、テレビ（ＴＶ）高スループット（ＴＶＨＴ）帯域幅チャネルを介してＶＨＴデータシンボルを送信するための手段も含む。テレビ（ＴＶ）高スループット（ＴＶＨＴ）帯域幅チャネルを介してのＶＨＴデータシンボルの送信は、送信機コンステレーションエラー制約事項に準拠する送信コンステレーション二乗平均平方根（ＲＭＳ）エラーを有する。
【０１４２】
［００１５１］他の特定の実施形態においては、非一時的なコンピュータによって読み取り可能な媒体は、プロセッサによって実行されたときに、テレビ（ＴＶ）高スループット（ＴＶＨＴ）帯域幅チャネルを介しての超高スループット（ＶＨＴ）データシンボルの送信を開始することをプロセッサに行わせる命令を含む。テレビ（ＴＶ）高スループット（ＴＶＨＴ）帯域幅チャネルを介してのＶＨＴデータシンボルの送信は、送信機コンステレーションエラー制約事項に準拠する送信コンステレーション二乗平均平方根（ＲＭＳ）エラーを有する。
【０１４３】
［００１５２］開示される実施形態のうちの１つ以上は、システム又は装置、例えば、デバイス１２００、内に実装することができ、通信デバイス、固定位データユニット、モバイル位置データユニット、携帯電話、セルラー電話、衛星電話、コンピュータ、タブレット、ポータブルコンピュータ、デスクトップコンピュータを含むことができる。さらに、デバイス１２００は、セットトップボックス、娯楽装置、ナビゲーションデバイス、パーソナルデジタルアシスタント（ＰＤＡ）、モニタ、コンピュータモニタ、テレビ、チューナー、ラジオ、衛星ラジオ、ミュージックプレーヤー、デジタルミュージックプレーヤー、ポータブルミュージックプレーヤー、ビデオプレーヤー、デジタルビデオプレーヤー、デジタルビデオディスク（ＤＶＤ）プレーヤー、ポータブルデジタルビデオプレーヤー、データ又はコンピュータ命令を格納又は取り出すその他のデバイス、又はそれらの組み合わせを含むことができる。他の例示的な、限定しない例として、システム又は装置は、遠隔ユニット、例えば、携帯電話、ハンドヘルドパーソナル通信システム（ＰＣＳ）ユニット、ポータブルデータユニット、例えば、パーソナルデータアシスタント、全地球測位システム（ＧＰＳ）によってイネーブルにされるデバイス、ナビゲーションデバイス、固定位置データユニット、例えば、計器読み取り装置、又はデータ又はコンピュータ命令を格納又は取り出すその他のデバイス、又はそれらのあらゆる組み合わせを含むことができる。
【０１４４】
［００１５３］図１乃至１２のうちの１つ以上は、本開示の教示によりシステム、装置、及び／又は方法を例示しているが、本開示は、これらの例示されるシステム、装置、及び／又は方法には限定されない。本開示の実施形態は、プロセッサとメモリとを含む集積回路を含むあらゆるデバイスにおいて適切に採用することができる。
【０１４５】
［００１５４］ここにおいて開示される実施形態と関係させて説明される様々な例示的な論理ブロック、構成、モジュール、回路、及びアルゴリズムのステップは、電子ハードウェア、プロセッサによって実行されるコンピュータソフトウェア、又はそれらの組み合わせとして実装可能であることを当業者はさらに評価するであろう。上記においては、様々な例示的なコンポーネント、ブロック、構成、モジュール、回路、及びステップが、それらの機能の観点で一般的に説明されている。該機能がハードウェアとして又はプロセッサによって実行可能な命令として実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【０１４６】
［００１５５］ここにおいて開示される実施形態と関係させて説明される方法又はアルゴリズムのステップは、直接ハードウェア内において、プロセッサによって実行されるソフトウェアモジュール内において、又はそれらの２つの組み合わせ内において具現化することが可能である。ソフトウェアモジュールは、ランダムアクセスメモリ（ＲＡＭ）、フラッシュメモリ、読み取り専用メモリ（ＲＯＭ）、プログラマブル読み取り専用メモリ（ＰＲＯＭ）、消去可能プログラマブル読み取り専用メモリ（ＥＰＲＯＭ）、電気的消去可能プログラマブル読み取り専用メモリ（ＥＥＰＲＯＭ）、レジスタ、ハードディスク、取り外し可能なディスク、コンパクトディスク読み取り専用メモリ（ＣＤ−ＲＯＭ）、又は当業において既知であるその他のあらゆる形態の非一時的な記憶媒体において常駐することができる。例示的な記憶媒体は、プロセッサが記憶媒体から情報を読み出すこと及び記憶媒体に情報を書き込むことができるようにプロセッサに結合される。代替においては、記憶媒体は、プロセッサと一体化させることができる。プロセッサ及び記憶媒体は、特定用途向け集積回路（ＡＳＩＣ）内に常駐することができる。ＡＳＩＣは、コンピューティングデバイス又はユーザ端末内に常駐することができる。代替においては、プロセッサ及び記憶媒体は、コンピューティングデバイス又はユーザ端末内において個別コンポーネントとして常駐することができる。
【０１４７】
［００１５６］開示される実施形態に関する前の説明は、当業者が開示される実施形態を製造又は使用することを可能にするために提供される。これらの実施形態に対する様々な修正は、当業者にとって容易に明確になるであろう、及びここにおいて定められる一般原理は、本開示の適用範囲を逸脱せずにその他の実施形態に対しても適用することができる。以上のように、本開示は、ここにおいて説明される実施形態に限定されることが意図されるものではなく、以下の請求項によって定義される原理及び新規の特徴に一致する限りにおいて最も広範な適用範囲が認められるべきである。
【図１】
2015528225.tif 000007
【図２】
2015528225.tif 000008
【図３】
2015528225.tif 000009
【図４】
2015528225.tif 000010
【図５】
2015528225.tif 000011
【図６】
2015528225.tif 000012
【図７】
2015528225.tif 000013
【図８】
2015528225.tif 000014
【図９】
2015528225.tif 000015
【図１０】
2015528225.tif 000016
【図１１】
2015528225.tif 000017
【図１２】
2015528225.tif 000018
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
方法であって、
局でデータシンボルを生成することと、
テレビ（ＴＶ）高スループット（ＴＶＨＴ）帯域幅チャネルを介して前記データシンボルを前記局から送信することを備え、前記ＴＶＨＴ帯域幅チャネルを介して前記データシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を備える、方法。
【請求項２】
前記データシンボルは、超高スループット（ＶＨＴ）データシンボルを備える、請求項１に記載の方法。
【請求項３】
前記１つ以上のフレーム間タイミングパラメータは、前記６ＭＨｚ帯域幅チャネルに関して又は前記７ＭＨｚ帯域幅チャネルに関しては１５μｓのクリアチャネルアセスメント（ＣＣＡ）時間をさらに備える、請求項１に記載の方法。
【請求項４】
前記１つ以上のフレーム間タイミングパラメータは、前記８ＭＨｚ帯域幅チャネルに関しては１１．２５μｓのクリアチャネルアセスメント（ＣＣＡ）時間をさらに備える請求項１に記載の方法。
【請求項５】
前記ＴＶＨＴ帯域幅チャネルを介しての前記データシンボルの送信は、前記データシンボルに関連付けられたスペクトルフラット性制約事項を満たす、請求項１に記載の方法。
【請求項６】
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定される、請求項５に記載の方法。
【請求項７】
前記ＴＶＨＴ帯域幅チャネルを介しての前記データシンボルの送信は、送信機コンステレーションエラー制約事項に準拠する送信コンステレーション二乗平均平方根（ＲＭＳ）エラーを有し、前記ＴＶＨＴ帯域幅チャネルの送信中心周波数は、ターゲット送信中心周波数の−２５パーツ・パー・ミリオン（ｐｐｍ）乃至＋２５ｐｐｍの第１の範囲内にあり、前記データシンボルの送信中に使用されるシンボルクロック周波数は、ターゲットシンボルクロック周波数の−２５ｐｐｍ乃至＋２５ｐｐｍの第２の範囲内にある、請求項１に記載の方法。
【請求項８】
前記ＴＶＨＴ帯域幅チャネルを介してプロトコルデータユニット（ＰＰＤＵ）を前記局から送信することをさらに備え、前記ＰＤＵの送信中に使用される無線周波数局部発振器（ＲＦ ＬＯ）の周波数が前記ＴＶＨＴ帯域幅チャネルの中心にあるときには、前記ＴＶＨＴ帯域幅チャネルの前記中心で測定された電力は、
前記ＰＤＵの副搬送波当たりの平均電力、又は
Ｐ−１０ｌｏｇ１０（ＮＳＴ）の値のうちの少なくとも１つよりも小さく、ここで、Ｐは、総送信電力であり、ＮＳＴは、周波数セグメント当たりの副搬送波の数である、請求項１に記載の方法。
【請求項９】
前記ＴＶＨＴ帯域幅チャネルを介してプロトコルデータユニット（ＰＤＵ）を前記局から送信することをさらに備え、前記ＰＤＵの送信中に使用される無線周波数局部発振器（ＲＦ ＬＯ）の周波数が前記ＴＶＨＴ帯域幅チャネルの中心にないときには、前記ＲＦ ＬＯの位置で測定された電力は、−２０ｄＢｍの第１の値又は−３２デシベル（ｄＢ）と総送信電力の和に等しい第２の値のうちの大きい方よりも小さく、前記ＰＤＵが、２つの隣接しない周波数セグメント又は２つの隣接しない周波数セクションと関連付けられているとき及び前記ＲＦ ＬＯの前記周波数が両方の隣接しない周波数セグメント又は両方の隣接しない周波数セクションの外側にあるときには、前記ＲＦ ＬＯは、１つ以上のスペクトルマスクに関する制約事項に準拠する、請求項１に記載の方法。
【請求項１０】
前記２つの隣接しない周波数セクションの各周波数セクションは、２つの隣接する周波数セグメントを備える、請求項９に記載の方法。
【請求項１１】
装置であって、
データシンボルを生成するための手段と、
テレビ（ＴＶ）高スループット（ＴＶＨＴ）帯域幅チャネルを介して前記データシンボルを送信するための手段と、を備え、前記ＴＶＨＴ帯域幅チャネルを介して前記データシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を備える、装置。
【請求項１２】
前記データシンボルは、超高スループット（ＶＨＴ）データシンボルを備える、請求項１１に記載の装置。
【請求項１３】
前記１つ以上のフレーム間タイミングパラメータは、前記６ＭＨｚ帯域幅チャネルに関して又は前記７ＭＨｚ帯域幅チャネルに関しては１５μｓ、前記８ＭＨｚ帯域幅チャネル、又はそれらの組み合わせに関しては１１．２５μｓのクリアチャネルアセスメント（ＣＣＡ）時間をさらに備える、請求項１１に記載の装置。
【請求項１４】
前記ＴＶＨＴ帯域幅チャネルを介しての前記データシンボルの送信は、前記データシンボルに関連付けられたスペクトルフラット性制約事項を満たす、請求項１１に記載の装置。
【請求項１５】
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定される、請求項１４に記載の装置。
【請求項１６】
前記ＴＶＨＴ帯域幅チャネルを介しての前記データシンボルの送信は、送信機コンステレーションエラー制約事項に準拠する送信コンステレーション二乗平均平方根（ＲＭＳ）エラーを有し、前記ＴＶＨＴ帯域幅チャネルの送信中心周波数は、ターゲット送信中心周波数の−２５パーツ・パー・ミリオン（ｐｐｍ）乃至＋２５ｐｐｍの第１の範囲内にあり、前記データシンボルの送信中に使用されるシンボルクロック周波数は、ターゲットシンボルクロック周波数の−２５ｐｐｍ乃至＋２５ｐｐｍの第２の範囲内にある、請求項１１に記載の装置。
【請求項１７】
プロトコルデータユニット（ＰＤＵ）を生成するための手段と、
前記ＴＶＨＴ帯域幅チャネルを介して前記ＰＤＵを送信するための手段と、をさらに備え、前記ＰＤＵの送信中に使用される無線周波数局部発振器（ＲＦ ＬＯ）の周波数が前記ＴＶＨＴ帯域幅チャネルの中心にあるときには、前記ＴＶＨＴ帯域幅チャネルの前記中心で測定された電力は、
前記ＰＤＵの副搬送波当たりの平均電力、又は
Ｐ−１０ｌｏｇ１０（ＮＳＴ）の値のうちの少なくとも１つよりも小さく、ここで、Ｐは、総送信電力であり、ＮＳＴは、周波数セグメント当たりの副搬送波の数である、請求項１１に記載の装置。
【請求項１８】
プロトコルデータユニット（ＰＤＵ）を生成するための手段と、
前記ＴＶＨＴ帯域幅チャネルを介して前記ＰＤＵを送信するための手段と、をさらに備え、前記ＰＤＵの送信中に使用される無線周波数局部発振器（ＲＦ ＬＯ）の周波数が前記ＴＶＨＴ帯域幅チャネルの中心にないときには、前記ＲＦ ＬＯの位置で測定された電力は、−２０ｄＢｍの第１の値又は−３２デシベル（ｄＢ）と総送信電力の和に等しい第２の値のうちの大きい方よりも小さく、前記ＰＤＵが、２つの隣接しない周波数セグメント又は２つの隣接しない周波数セクションと関連付けられているとき及び前記ＲＦ ＬＯの前記周波数が両方の隣接しない周波数セグメント又は両方の隣接しない周波数セクションの外側にあるときには、前記ＲＦ ＬＯは、１つ以上のスペクトルマスクに関する制約事項に準拠する、請求項１１に記載の装置。
【請求項１９】
前記２つの隣接しない周波数セクションの各周波数セクションは、２つの隣接する周波数セグメントを備える、請求項１８に記載の装置。
【請求項２０】
デバイスであって、
データシンボルの送信を開始するように構成されたプロセッサと、
テレビ（ＴＶ）高スループット（ＴＶＨＴ）帯域幅チャネルを介して前記データシンボルを送信するように構成された送信機と、を備え、前記ＴＶＨＴ帯域幅チャネルを介して前記データシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を備える、デバイス。
【請求項２１】
前記データシンボルは、超高スループット（ＶＨＴ）データシンボルを備える、請求項２０に記載のデバイス。
【請求項２２】
前記１つ以上のフレーム間タイミングパラメータは、前記６ＭＨｚ帯域幅チャネルに関して又は前記７ＭＨｚ帯域幅チャネルに関しては１５μｓ、前記８ＭＨｚ帯域幅チャネル、又はそれらの組み合わせに関しては１１．２５μｓのクリアチャネルアセスメント（ＣＣＡ）時間をさらに備える、請求項２０に記載のデバイス。
【請求項２３】
前記ＴＶＨＴ帯域幅チャネルを介しての前記データシンボルの送信は、前記データシンボルに関連付けられたスペクトルフラット性制約事項を満たす、請求項２０に記載のデバイス。
【請求項２４】
前記スペクトルフラット性制約事項は、１つ以上の２位相偏移変調（ＢＰＳＫ）されたプロトコルデータユニット（ＰＤＵ）を用いてスペクトルフラット性測定値に基づいて満たされると決定される、請求項２３に記載のデバイス。
【請求項２５】
前記ＴＶＨＴ帯域幅チャネルを介しての前記データシンボルの送信は、送信機コンステレーションエラー制約事項に準拠する送信コンステレーション二乗平均平方根（ＲＭＳ）エラーを有し、前記ＴＶＨＴ帯域幅チャネルの送信中心周波数は、ターゲット送信中心周波数の−２５パーツ・パー・ミリオン（ｐｐｍ）乃至＋２５ｐｐｍの第１の範囲内にあり、前記データシンボルの送信中に使用されるシンボルクロック周波数は、ターゲットシンボルクロック周波数の−２５ｐｐｍ乃至＋２５ｐｐｍの第２の範囲内にある、請求項２０に記載のデバイス。
【請求項２６】
前記送信機は、前記ＴＶＨＴ帯域幅チャネルを介してプロトコルデータユニット（ＰＤＵ）を送信するようにさらに構成され、前記ＰＤＵの第２の送信中に使用される無線周波数局部発振器（ＲＦ ＬＯ）の周波数が前記ＴＶＨＴ帯域幅チャネルの中心にあるときには、前記ＴＶＨＴ帯域幅チャネルの前記中心で測定された電力は、
前記ＰＤＵの副搬送波当たりの平均電力、又は
Ｐ−１０ｌｏｇ１０（ＮＳＴ）の値のうちの少なくとも１つよりも小さく、ここで、Ｐは、総送信電力であり、ＮＳＴは、周波数セグメント当たりの副搬送波の数である、請求項２０に記載のデバイス。
【請求項２７】
前記送信機は、前記ＴＶＨＴ帯域幅チャネルを介してプロトコルデータユニット（ＰＤＵ）を送信するようにさらに構成され、前記ＰＤＵの第２の送信中に使用される無線周波数局部発振器（ＲＦ ＬＯ）の周波数が前記ＴＶＨＴ帯域幅チャネルの中心にないときには、前記ＲＦ ＬＯの位置で測定された電力は、−２０ｄＢｍの第１の値又は−３２デシベル（ｄＢ）と総送信電力の和に等しい第２の値のうちの大きい方よりも小さく、前記ＰＤＵが、２つの隣接しない周波数セグメント又は２つの隣接しない周波数セクションと関連付けられているとき及び前記ＲＦ ＬＯの前記周波数が両方の隣接しない周波数セグメント又は両方の隣接しない周波数セクションの外側にあるときには、前記ＲＦ ＬＯは、１つ以上のスペクトルマスクに関する制約事項に準拠する、請求項２０に記載のデバイス。
【請求項２８】
前記２つの隣接しない周波数セクションの各周波数セクションは、２つの隣接する周波数セグメントを備える、請求項２７に記載のデバイス。
【請求項２９】
非一時的なコンピュータによって読み取り可能な媒体であって、プロセッサによって実行されたときに、
データシンボルを生成することと、
テレビ（ＴＶ）高スループット（ＴＶＨＴ）帯域幅チャネルを介しての前記データシンボルの送信を開始することを前記プロセッサに行わせる命令を備え、前記ＴＶＨＴ帯域幅チャネルを介して前記データシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を含む、非一時的なコンピュータによって読み取り可能な媒体。
【請求項３０】
前記データシンボルは、超高スループット（ＶＨＴ）データシンボルを備える、請求項２９に記載の非一時的なコンピュータによって読み取り可能な媒体。
【請求項３１】
前記１つ以上のフレーム間タイミングパラメータは、前記６ＭＨｚ帯域幅チャネルに関して又は前記７ＭＨｚ帯域幅チャネルに関しては１５μｓのクリアチャネルアセスメント（ＣＣＡ）時間をさらに備える、請求項２９に記載の非一時的なコンピュータによって読み取り可能な媒体。
【請求項３２】
前記１つ以上のフレーム間タイミングパラメータは、前記８ＭＨｚ帯域幅チャネルに関しては１１．２５μｓのクリアチャネルアセスメント（ＣＣＡ）時間をさらに備える、請求項２９に記載の非一時的なコンピュータによって読み取り可能な媒体。
【請求項３３】
前記ＴＶＨＴ帯域幅チャネルを介しての前記データシンボルの送信は、前記データシンボルに関連付けられたスペクトルフラット性制約事項を満たす、請求項２９に記載の非一時的なコンピュータによって読み取り可能な媒体。
【請求項３４】
前記スペクトルフラット性制約事項は、１つ以上の２位相偏移変調（ＢＰＳＫ）されたプロトコルデータユニット（ＰＤＵ）を用いてスペクトルフラット性測定値に基づいて満たされると決定される、請求項３３に記載の非一時的なコンピュータによって読み取り可能な媒体。
【請求項３５】
前記ＴＶＨＴ帯域幅チャネルを介しての前記データシンボルの送信は、送信機コンステレーションエラー制約事項に準拠する送信コンステレーション二乗平均平方根（ＲＭＳ）エラーを有し、前記ＴＶＨＴ帯域幅チャネルの送信中心周波数は、ターゲット送信中心周波数の−２５パーツ・パー・ミリオン（ｐｐｍ）乃至＋２５ｐｐｍの第１の範囲内にあり、前記データシンボルの送信中に使用されるシンボルクロック周波数は、ターゲットシンボルクロック周波数の−２５ｐｐｍ乃至＋２５ｐｐｍの第２の範囲内にある、請求項２９に記載の非一時的なコンピュータによって読み取り可能な媒体。
【請求項３６】
前記命令は、前記ＴＶＨＴ帯域幅チャネルを介してプロトコルデータユニット（ＰＤＵ）を送信することを前記プロセッサにさらに行わせ、前記ＰＤＵの送信中に使用される無線周波数局部発振器（ＲＦ ＬＯ）の周波数が前記ＴＶＨＴ帯域幅チャネルの中心にあるときには、前記ＴＶＨＴ帯域幅チャネルの前記中心で測定された電力は、
前記ＰＤＵの副搬送波当たりの平均電力、又は
Ｐ−１０ｌｏｇ１０（ＮＳＴ）の値のうちの少なくとも１つよりも小さく、ここで、Ｐは、総送信電力であり、ＮＳＴは、周波数セグメント当たりの副搬送波の数である、請求項２９に記載の非一時的なコンピュータによって読み取り可能な媒体。
【請求項３７】
前記命令は、前記ＴＶＨＴ帯域幅チャネルを介してプロトコルデータユニット（ＰＤＵ）を送信することを前記プロセッサにさらに行わせ、前記ＰＤＵの送信中に使用される無線周波数局部発振器（ＲＦ ＬＯ）の周波数が前記ＴＶＨＴ帯域幅チャネルの中心にないときには、前記ＲＦ ＬＯの位置で測定された電力は、−２０ｄＢｍの第１の値又は−３２デシベル（ｄＢ）と総送信電力の和に等しい第２の値のうちの大きい方よりも小さく、前記ＰＤＵが、２つの隣接しない周波数セグメント又は２つの隣接しない周波数セクションと関連付けられているとき及び前記ＲＦ ＬＯの前記周波数が両方の隣接しない周波数セグメント又は両方の隣接しない周波数セクションの外側にあるときには、前記ＲＦ ＬＯは、１つ以上のスペクトルマスクに関する制約事項に準拠する、請求項２９に記載の非一時的なコンピュータによって読み取り可能な媒体。
【請求項３８】
前記２つの隣接しない周波数セクションの各周波数セクションは、２つの隣接する周波数セグメントを備える、請求項３７に記載の非一時的なコンピュータによって読み取り可能な媒体。
【手続補正２】
【補正対象書類名】明細書
【補正対象項目名】０１４７
【補正方法】変更
【補正の内容】
【０１４７】
［００１５６］開示される実施形態に関する前の説明は、当業者が開示される実施形態を製造又は使用することを可能にするために提供される。これらの実施形態に対する様々な修正は、当業者にとって容易に明確になるであろう、及びここにおいて定められる一般原理は、本開示の適用範囲を逸脱せずにその他の実施形態に対しても適用することができる。以上のように、本開示は、ここにおいて説明される実施形態に限定されることが意図されるものではなく、以下の請求項によって定義される原理及び新規の特徴に一致する限りにおいて最も広範な適用範囲が認められるべきである。
以下に、出願当初の特許請求の範囲に記載された発明を付記する。
［Ｃ１］
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関して１２０マイクロ秒（μｓ）の短フレーム間スペース（ＳＩＦＳ）時間を備える、方法。
［Ｃ２］
前記１つ以上のフレーム間タイミングパラメータは、１５μｓのクリアチャネルアセスメント（ＣＣＡ）時間スレショルドをさらに備えるＣ１に記載の方法。
［Ｃ３］
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、８メガヘルツ（ＭＨｚ）帯域幅チャネルに関して９０マイクロ秒（μｓ）の短フレーム間スペース（ＳＩＦＳ）時間を備える、方法。
［Ｃ４］
前記１つ以上のフレーム間タイミングパラメータは、１１．２５μｓのクリアチャネルアセスメント（ＣＣＡ）時間スレショルドをさらに備えるＣ３に記載の方法。
［Ｃ５］
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を備える、デバイス。
［Ｃ６］
前記１つ以上のフレーム間タイミングパラメータは、前記６メガヘルツ（ＭＨｚ）帯域幅チャネルに関して又は前記７ＭＨｚ帯域幅チャネルに関しては１５μｓ、前記８ＭＨｚ帯域幅チャネルに関しては１１．２５μｓのクリアチャネルアセスメント（ＣＣＡ）時間スレショルドをさらに備えるＣ５に記載のデバイス。
［Ｃ７］
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８メガヘルツ（ＭＨｚ）帯域幅チャネル、又はそれらの組み合わせに関しては９０μｓの短フレーム間スペース（ＳＩＦＳ）時間を備える、装置。
［Ｃ８］
前記１つ以上のフレーム間タイミングパラメータは、前記６ＭＨｚ帯域幅チャネルに関して又は前記７ＭＨｚ帯域幅チャネルに関しては１５μｓ、前記８ＭＨｚ帯域幅チャネルに関しては１１．２５μｓのクリアチャネルアセスメント（ＣＣＡ）時間スレショルドをさらに備えるＣ７に記載の装置。
［Ｃ９］
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１２０マイクロ秒（μｓ）、８ＭＨｚ帯域幅チャネル、又はそれらの組み合わせに関しては９０μｓの短フレーム間スペース（ＳＩＦＳ）時間を含む、非一時的なコンピュータによって読み取り可能な媒体。
［Ｃ１０］
前記１つ以上のフレーム間タイミングパラメータは、前記６ＭＨｚ帯域幅チャネルに関して又は前記７ＭＨｚ帯域幅チャネルに関しては１５μｓ、前記８ＭＨｚ帯域幅チャネルに関しては１１．２５μｓのクリアチャネルアセスメント（ＣＣＡ）時間スレショルドをさらに備えるＣ９に記載の非一時的なコンピュータによって読み取り可能な媒体。
［Ｃ１１］
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関して１５マイクロ秒（μｓ）のクリアチャネルアセスメント（ＣＣＡ）時間を備える、方法。
［Ｃ１２］
前記１つ以上のフレーム間タイミングパラメータは、前記６ＭＨｚ帯域幅チャネルに関して又は前記７ＭＨｚ帯域幅チャネルに関して１２０μｓの短フレーム間スペース（ＳＩＦＳ）をさらに備えるＣ１１に記載の方法。
［Ｃ１３］
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、８メガヘルツ（ＭＨｚ）帯域幅チャネルに関して  １１．２５マイクロ秒（μｓ）のクリアチャネルアセスメント（ＣＣＡ）時間を備える、方法。
［Ｃ１４］
前記１つ以上のフレーム間タイミングパラメータは、前記８ＭＨｚ帯域幅チャネル、又はそれらの組み合わせに関して９０μｓの短フレーム間スペース（ＳＩＦＳ）をさらに備えるＣ１３に記載の方法。
［Ｃ１５］
前記１つ以上のフレーム間タイミングパラメータは、８６μｓ、９０μｓ、又は９１μｓの短フレーム間スペース（ＳＩＦＳ）をさらに備えるＣ１３に記載の方法。
［Ｃ１６］
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を含む、デバイス。
［Ｃ１７］
前記１つ以上のフレーム間タイミングパラメータは、前記６メガヘルツ（ＭＨｚ）帯域幅チャネルに関して又は前記７ＭＨｚ帯域幅チャネルに関して１２０μｓの短フレーム間スペース（ＳＩＦＳ）をさらに備えるＣ１６に記載のデバイス。
［Ｃ１８］
前記１つ以上のフレーム間タイミングパラメータは、前記８ＭＨｚ帯域幅チャネルに関して９０μｓの短フレーム間スペース（ＳＩＦＳ）をさらに備えるＣ１６に記載のデバイス。
［Ｃ１９］
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を備える、装置。
［Ｃ２０］
前記１つ以上のフレーム間タイミングパラメータは、前記６ＭＨｚ帯域幅チャネルに関して又は前記７ＭＨｚ帯域幅チャネルに関しては１２０μｓの第１の短フレーム間スペース（ＳＩＦＳ）、前記８ＭＨｚ帯域幅チャネル、又はそれらの組み合わせに関しては９０μｓの第２のＳＩＦＳをさらに備えるＣ１９に記載の装置。
［Ｃ２１］
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介して前記ＶＨＴデータシンボルを送信するために１つ以上のフレーム間タイミングパラメータが使用され、前記１つ以上のフレーム間タイミングパラメータは、６メガヘルツ（ＭＨｚ）帯域幅チャネルに関して又は７ＭＨｚ帯域幅チャネルに関しては１５マイクロ秒（μｓ）、８ＭＨｚ帯域幅チャネル、又はそれらの組み合わせに関しては１１．２５μｓのクリアチャネルアセスメント（ＣＣＡ）時間を備える、非一時的なコンピュータによって読み取り可能な媒体。
［Ｃ２２］
前記１つ以上のフレーム間タイミングパラメータは、前記６メガヘルツ（ＭＨｚ）帯域幅チャネルに関して又は前記７ＭＨｚ帯域幅チャネルに関しては１２０μｓの第１の短フレーム間スペース（ＳＩＦＳ）、前記８ＭＨｚ帯域幅チャネル、又はそれらの組み合わせに関しては９０μｓの第２のＳＩＦＳをさらに備えるＣ２１に記載の非一時的なコンピュータによって読み取り能な媒体。
［Ｃ２３］
方法であって、
テレビ（ＴＶ）高スループット（ＴＶＨＴ）帯域幅チャネルを介して超高スループット（ＶＨＴ）データシンボルを局から送信することを備え、前記ＴＶＨＴ帯域幅チャネルを介しての前記ＶＨＴデータシンボルの送信は、前記ＶＨＴデータシンボルと関連付けられたスペクトルフラット性制約事項を満たす、方法。
［Ｃ２４］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ２３に記載の方法。
［Ｃ２５］
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定されるＣ２３に記載の方法。
［Ｃ２６］
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有するＣ２３に記載の方法。
［Ｃ２７］
前記ＶＨＴデータシンボルがＴＶＨＴフォーマットを有するときには、前記第１のインデックス範囲は、−４２乃至−２及び＋２乃至＋４２を含み、前記偏差範囲は、±４デシベル（ｄＢ）を含み、前記第２のインデックス範囲は、−４２乃至−２及び＋２乃至＋４２を含むＣ２６に記載の方法。
［Ｃ２８］
前記ＶＨＴデータシンボルがＴＶＨＴフォーマットを有するときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−２及び＋２乃至＋４２を含むＣ２６に記載の方法。
［Ｃ２９］
前記ＶＨＴデータシンボルが非高スループット（非ＨＴ）複製フォーマットを含むときには、前記第１のインデックス範囲は、−４２乃至−３３、−３１乃至−６、＋６乃至＋３１及び＋３３乃至＋４２を含み、前記偏差範囲は、±４デシベル（ｄＢ）を含み、前記第２のインデックス範囲は、−４２乃至−３３、−３１乃至−６、＋６乃至＋３１及び＋３３乃至＋４２を含むＣ２６に記載の方法。
［Ｃ３０］
前記ＶＨＴデータシンボルが非高スループット（非ＨＴ）複製フォーマットを含むときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−３３、−３１乃至−６、＋６乃至＋３１及び＋３３乃至＋４２を含むＣ２６に記載の方法。
［Ｃ３１］
前記第１のインデックス範囲及び前記第２のインデックス範囲は、１つの周波数セグメントを用いた前記送信に対応するＣ２６に記載の方法。
［Ｃ３２］
前記第１のインデックス範囲は、両端の数字を含み、前記偏差範囲は、両端の数字を含み、前記第２のインデックス範囲は、両端の数字を含み、又はそれらの組み合わせであるＣ２６に記載の方法。
［Ｃ３３］
前記偏差範囲は、１つの周波数セグメントを用いた前記送信に対応するＣ２６に記載の方法。
［Ｃ３４］
複数の隣接する又は不連続の周波数セグメントを含む送信に関して、前記複数の隣接する又は不連続の周波数セグメントの各周波数セグメントは、１つ以上の周波数セグメントを用いた前記送信に関する前記スペクトルフラット性制約事項を満たしており、前記１つの周波数セグメントを用いた前記送信は、前記第１のインデックス範囲、前記偏差範囲、及び第２のインデックス範囲に対応するＣ２６に記載の方法。
［Ｃ３５］
複数の隣接する又は不連続の周波数セグメントを含む前記送信は、２つの隣接する周波数セグメントを用いる第１の送信、４つの隣接する周波数セグメントを用いる第２の送信、２つの隣接しない周波数セグメントを用いる第３の送信、又は２つの隣接しない周波数セクションを用いる第４の送信のうちの１つを含み、前記２つの隣接しない周波数セクションの各周波数セクションは、２つの隣接する周波数セグメントを備えるＣ３４に記載の方法。
［Ｃ３６］
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介しての前記ＶＨＴデータシンボルの前記送信は、前記ＶＨＴデータシンボルと関連付けられたスペクトルフラット性制約事項を満たす、デバイス。
［Ｃ３７］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ３６に記載のデバイス。
［Ｃ３８］
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定されるＣ３６に記載のデバイス。
［Ｃ３９］
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有するＣ３６に記載のデバイス。
［Ｃ４０］
前記ＶＨＴデータシンボルがＴＶＨＴフォーマットを有するときには、前記第１のインデックス範囲は、−４２乃至−２及び＋２乃至＋４２を含み、前記偏差範囲は、±４デシベル（ｄＢ）を含み、前記第２のインデックス範囲は、−４２乃至−２及び＋２乃至＋４２を含むＣ３９に記載のデバイス。
［Ｃ４１］
前記ＶＨＴデータシンボルがＴＶＨＴフォーマットを有するときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−２及び＋２乃至＋４２を含むＣ３９に記載のデバイス。
［Ｃ４２］
前記ＶＨＴデータシンボルが非高スループット（非ＨＴ）複製フォーマットを含むときには、前記第１のインデックス範囲は、−４２乃至−３３、−３１乃至−６、＋６乃至＋３１及び＋３３乃至＋４１を含み、前記偏差範囲は、±４デシベル（ｄＢ）を含み、前記第２のインデックス範囲は、−４２乃至−３３、−３１乃至−６、＋６乃至＋３１及び＋３３乃至＋４２を含むＣ３９に記載のデバイス。
［Ｃ４３］
前記ＶＨＴデータシンボルが非高スループット（非ＨＴ）複製フォーマットを含むときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−３３、−３１乃至−６、＋６乃至＋３１及び＋３３乃至＋４２を含むＣ３９に記載のデバイス。
［Ｃ４４］
前記第１のインデックス範囲は、両端の数字を含み、前記偏差範囲は、両端の数字を含み、前記第２のインデックス範囲は、両端の数字を含み、又はそれらの組み合わせであるＣ３９に記載のデバイス。
［Ｃ４５］
装置であって、
超高スループット（ＶＨＴ）データシンボルを生成するための手段と、
テレビ（ＴＶ）高スループット（ＴＢＨＴ）帯域幅チャネルを介して前記ＶＨＴデータシンボルを送信するための手段と、を備え、前記ＴＶＨＴ帯域幅チャネルを介しての前記ＶＨＴデータシンボルの送信は、前記ＶＨＴデータシンボルと関連付けられたスペクトルフラット性制約事項を満たす、装置。
［Ｃ４６］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ４５に記載の装置。
［Ｃ４７］
前記スペクトルフラット性制約事項は、１つ以上の２位相偏移変調（ＢＰＳＫ）されたプロトコルデータユニット（ＰＰＤＵ）を用いてスペクトルフラット性測定値に基づいて満たされると決定されるＣ４５に記載の装置。
［Ｃ４８］
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有するＣ４５に記載の装置。
［Ｃ４９］
前記ＶＨＴデータシンボルがＴＶＨＴフォーマットを有するときには、前記第１のインデックス範囲は、−４２乃至−２及び＋２乃至＋４２を含み、前記偏差範囲は、±４デシベル（ｄＢ）を含み、前記第２のインデックス範囲は、−４２乃至−２及び＋２乃至＋４２を含むＣ４８に記載の装置。
［Ｃ５０］
前記ＶＨＴデータシンボルがＴＶＨＴフォーマットを有するときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−２及び＋２乃至＋４２を含むＣ４８に記載の装置。
［Ｃ５１］
前記ＶＨＴデータシンボルが非高スループット（非ＨＴ）複製フォーマットを含むときには、前記第１のインデックス範囲は、−４２乃至−３３、−３１乃至−６、＋６乃至＋３１及び＋３３乃至＋４２を含み、前記偏差範囲は、±４デシベル（ｄＢ）を含み、前記第２のインデックス範囲は、−４２乃至−３３、−３１乃至−６、＋６乃至＋３１及び＋３３乃至＋４２を含むＣ４８に記載の装置。
［Ｃ５２］
前記ＶＨＴデータシンボルが非高スループット（非ＨＴ）複製フォーマットを含むときには、前記第１のインデックス範囲は、−５８乃至−４３及び＋４３乃至＋５８を含み、前記偏差範囲は、＋４デシベル（ｄＢ）乃至−６ｄＢを含み、前記第２のインデックス範囲は、−４２乃至−３３、−３１乃至−６、＋６乃至＋３１及び＋３３乃至＋４２を含むＣ４８に記載の装置。
［Ｃ５３］
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介しての前記ＶＨＴデータシンボルの前記送信は、前記ＶＨＴデータシンボルと関連付けられたスペクトルフラット性制約事項を満たす、非一時的なコンピュータによって読み取り可能な媒体。
［Ｃ５４］
前記スペクトルフラット性制約事項は、前記ＴＶＨＴデータシンボルの２位相偏移変調（ＢＰＳＫ）された副搬送波の平均コンステレーションエネルギー値が、前記ＴＶＨＴデータシンボルの複数のＢＰＳＫ変調された副搬送波の複数の平均コンステレーションエネルギー値の平均の偏差範囲内にあるときに満たされ、前記ＢＰＳＫ変調された副搬送波は、第１のインデックス範囲内に含まれるインデックスを有し、前記複数のＢＰＳＫ変調された副搬送波の各々は、第２のインデックス範囲内に含まれるインデックスを有するＣ５３に記載の非一時的なコンピュータによって読み取り可能な媒体。
［Ｃ５５］
前記第１のインデック範囲及び前記第２のインデックス範囲は、１つの周波数セグメントを用いた前記送信に対応するＣ５４に記載の非一時的なコンピュータによって読み取り可能な媒体。
［Ｃ５６］
前記第１のインデックス範囲、前記偏差範囲、前記第２のインデックス範囲、又はそれらの組み合わせは、両端の数字を含むＣ５４に記載の非一時的なコンピュータによって読み取り可能な媒体。
［Ｃ５７］
前記偏差範囲は、１つの周波数セグメントを用いた前記送信に対応するＣ５４に記載の非一時的なコンピュータによって読み取り可能な媒体。
［Ｃ５８］
複数の隣接する又は不連続の周波数セグメントを含む送信に関して、前記複数の隣接する又は不連続の周波数セグメントの各周波数セグメントは、１つの周波数セグメントを用いた前記送信に関する前記スペクトルフラット性制約事項を満たし、前記１つの周波数セグメントを用いた前記送信は、前記第１のインデックス範囲、前記偏差範囲、及び前記第２のインデックス範囲に対応するＣ５４に記載の非一時的なコンピュータによって読み取り可能な媒体。
［Ｃ５９］
複数の隣接する又は不連続の周波数セグメントを含む前記送信は、２つの隣接する周波数セグメントを用いる第１の送信、４つの隣接する周波数セグメントを用いる第２の送信、２つの隣接しない周波数セグメントを用いる第３の送信、又は２つの隣接しない周波数セクションを用いる第４の送信のうちの１つを含み、前記２つの隣接しない周波数セクションの各周波数セクションは、２つの隣接する周波数セグメントを備えるＣ５８に記載の非一時的なコンピュータによって読み取り可能な媒体。
［Ｃ６０］
方法であって、
テレビ（ＴＶ）高スループット（ＴVＨＴ）帯域幅チャネルを介して超高スループット（ＶＨＴ）データシンボルを局の送信機から送信することを備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、方法。
［Ｃ６１］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ６０に記載の方法。
［Ｃ６２］
前記範囲は、両端の数字を含むＣ６０に記載の方法。
［Ｃ６３］
前記ＴＶＨＴ帯域幅チャネルを介しての前記ＶＨＴデータシンボルの送信と関連付けられた１つ以上の搬送波クロック周波数及び１つ以上のシンボルクロック周波数は、共通の基準発振器から導き出されるＣ６０に記載の方法。
［Ｃ６４］
前記１つ以上の搬送波クロック周波数は、前記ＴＶＨＴ帯域幅チャネルを含むＣ６３に記載の方法。
［Ｃ６５］
前記ＴＶＨＴ帯域幅チャネルは、１つ以上の周波数セグメントと関連付けられ、前記１つ以上の周波数セグメントは、１つ以上の基本的チャネルユニット（ＢＣＵ）を含み、前記１つ以上のＢＣＵは、６メガヘルツ（ＭＨｚ）帯域幅チャネル、７ＭＨｚ帯域幅チャネル、８ＭＨｚ帯域幅チャネル、又はそれらの組み合わせを含むＣ６０に記載の方法。
［Ｃ６６］
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、デバイス。
［Ｃ６７］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ６６に記載のデバイス。
［Ｃ６８］
前記範囲は、両端の数字を含むＣ６６に記載のデバイス。
［Ｃ６９］
前記ＴＶＨＴ帯域幅チャネルを介しての前記ＶＨＴデータシンボルの送信と関連付けられた１つ以上の搬送波クロック周波数及び１つ以上のシンボルクロック周波数は、共通の基準発振器から導き出されるＣ６６に記載のデバイス。
［Ｃ７０］
前記１つ以上の搬送波クロック周波数は、前記ＴＶＨＴ帯域幅チャネルを含むＣ６９に記載のデバイス。
［Ｃ７１］
前記ＴＶＨＴ帯域幅チャネルは、１つ以上の周波数セグメントと関連付けられ、前記１つ以上の周波数セグメントは、１つ以上の基本的チャネルユニット（ＢＣＵ）を含み、前記１つ以上のＢＣＵは、６メガヘルツ（ＭＨｚ）帯域幅チャネル、７ＭＨｚ帯域幅チャネル、８ＭＨｚ帯域幅チャネル、又はそれらの組み合わせを含むＣ６６に記載のデバイス。
［Ｃ７２］
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、装置。
［Ｃ７３］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ７２に記載の装置。
［Ｃ７４］
前記範囲は、両端の数字を含むＣ７２に記載の装置。
［Ｃ７５］
前記ＴＶＨＴ帯域幅チャネルは、１つ以上の周波数セグメントと関連付けられ、前記１つ以上の周波数セグメントは、１つ以上の基本的チャネルユニット（ＢＣＵ）を含み、前記１つ以上のＢＣＵは、６メガヘルツ（ＭＨｚ）帯域幅チャネル、７ＭＨｚ帯域幅チャネル、８ＭＨｚ帯域幅チャネル、又はそれらの組み合わせを含むＣ７２に記載の装置。
［Ｃ７６］
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルの送信中心周波数は、ターゲット送信中心周波数の−２５パーツ・パー・ミリオン（ｐｐｍ）乃至＋２５ｐｐｍの範囲内にある、非一時的なコンピュータによって読み取り可能な媒体。
［Ｃ７７］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ７６に記載の非一時的なコンピュータによって読み取り可能な媒体。
［Ｃ７８］
前記ＴＶＨＴ帯域幅チャネルを介しての前記ＶＨＴデータシンボルの送信と関連付けられた１つ以上の搬送波クロック周波数及び１つ以上のシンボルクロック周波数は、共通の基準発振器から導き出されるＣ７６に記載の非一時的なコンピュータによって読み取り可能な媒体。
［Ｃ７９］
前記１つ以上の搬送波クロック周波数は、前記ＴＶＨＴ帯域幅チャネルを含むＣ７８に記載の非一時的なコンピュータによって読み取り可能な媒体。
［Ｃ８０］
方法であって、
テレビ（ＴＶ）高スループット（ＴＶＨＴ）帯域幅チャネルを介して超高スループット（ＶＨＴ）データシンボルを局から送信することを備え、前記ＶＨＴデータシンボルの送信中に使用されるシンボルクロック周波数は、ターゲットシンボルクロック周波数の−２５パーツ・パー・ミリオン（ｐｐｍ）乃至＋２５ｐｐｍの範囲内にある、方法。
［Ｃ８１］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ８０に記載の方法。
［Ｃ８２］
前記範囲は、両端の数字を含むＣ８０に記載の方法。
［Ｃ８３］
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＶＨＴデータシンボルの前記送信中に使用されるシンボルクロック周波数は、ターゲットシンボルクロック周波数の−２５パーツ・パー・ミリオン（ｐｐｍ）乃至＋２５ｐｐｍの範囲内にある、デバイス。
［Ｃ８４］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ８３に記載のデバイス。
［Ｃ８５］
前記範囲は、両端の数字を含むＣ８３に記載のデバイス。
［Ｃ８６］
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＶＨＴデータシンボルの送信中に使用されるシンボルクロック周波数は、ターゲットシンボルクロック周波数の−２５パーツ・パー・ミリオン（ｐｐｍ）乃至＋２５ｐｐｍの範囲内にある、装置。
［Ｃ８７］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ８６に記載の装置。
［Ｃ８８］
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＶＨＴデータシンボルの送信中に使用されるシンボルクロック周波数は、ターゲットシンボルクロック周波数の−２５パーツ・パー・ミリオン（ｐｐｍ）乃至＋２５ｐｐｍの範囲内にある、非一時的なコンピュータによって読み取り可能な媒体。
［Ｃ８９］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ８８に記載の非一時的なコンピュータによって読み取り可能な媒体。
［Ｃ９０］
前記範囲は、両端の数字を含むＣ８８に記載の非一時的なコンピュータによって読み取り可能な媒体。
［Ｃ９１］
方法であって、
テレビ（ＴＶ）高スループット（ＴＶＨＴ）帯域幅チャネルを介してプロトコルデータユニット（ＰＰＤＵ）を局から送信することを備え、前記ＰＰＤＵの送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、
前記送信されたＰＰＤＵの副搬送波当たりの平均電力、又は
Ｐ−１０ｌｏｇ１０（ＮＳＴ）の値よりも小さく、ここで、Ｐは、総送信電力であり、ＮＳＴは、周波数セグメント当たりの副搬送波の数である、方法。
［Ｃ９２］
前記分解能帯域幅は、６／１４４メガヘルツ（ＭＨｚ）又は８／１４４ＭＨｚであるＣ９１に記載の方法。
［Ｃ９３］
前記周波数セグメントは、６メガヘルツ（ＭＨｚ）帯域幅チャネル、７ＭＨｚ帯域幅チャネル、８ＭＨｚ帯域幅チャネル、又はそれらの組み合わせを含むＣ９１に記載の方法。
［Ｃ９４］
前記送信されたＰＰＤＵは、１つの周波数セグメント、２つの隣接する周波数セグメント、又は４つの隣接する周波数セグメントを用いた送信と関連付けられるＣ９１に記載の方法。
［Ｃ９５］
前記ＴＶＨＴ帯域幅チャネルは、６メガヘルツ（ＭＨｚ）帯域幅チャネル、７ＭＨｚ帯域幅チャネル、８ＭＨｚ帯域幅チャネル、又はそれらの組み合わせを含むＣ９１に記載の方法。
［Ｃ９６］
デバイスであって、
プロトコルデータユニット（ＰＰＤＵ）の送信を開始するように構成されたプロセッサと、
テレビ（ＴＶ）高スループット（ＴＶＨＴ）帯域幅チャネルを介して前記ＰＰＤＵを送信するように構成された送信機と、を備え、前記ＰＰＤＵの前記送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、前記送信されたＰＰＤＵの副搬送波当たりの平均電力よりも小さいか又はＰ−ｌｏｇ１０（ＮＳＴ）の値よりも小さく、ここで、Ｐは、総送信電力であり、ＮＳＴは、周波数セグメント当たりの副搬送波の数である、デバイス。
［Ｃ９７］
前記分解能帯域幅は、６／１４４メガヘルツ（ＭＨｚ）又は８／１４４ＭＨｚであるＣ９６に記載のデバイス。
［Ｃ９８］
前記周波数セグメントは、６メガヘルツ（ＭＨｚ）帯域幅チャネル、７ＭＨｚ帯域幅チャネル、８ＭＨｚ帯域幅チャネル、又はそれらの組み合わせを含むＣ９６に記載のデバイス。
［Ｃ９９］
前記送信されたＰＰＤＵは、１つの周波数セグメント、２つの隣接する周波数セグメント、又は４つの隣接する周波数セグメントを用いた送信と関連付けられるＣ９６に記載のデバイス。
［Ｃ１００］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ９６に記載のデバイス。
［Ｃ１０１］
装置であって、
プロトコルデータユニット（ＰＰＤＵ）を生成するための手段と、
テレビ（ＴＶ）高スループット（ＴＶＨＴ）帯域幅チャネルを介して前記ＰＰＤＵを送信するための手段と、を備え、前記ＰＰＤＵの送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、前記送信されたＰＰＤＵの副搬送波当たりの平均電力よりも小さいか又はＰ−１０ｌｏｇ１０（ＮＳＴ）の値よりも小さく、ここで、Ｐは、総送信電力であり、ＮＳＴは、周波数セグメント当たりの副搬送波の数である、装置。
［Ｃ１０２］
前記分解能帯域幅は、６／１４４メガヘルツ（ＭＨｚ）又は８／１４４ＭＨｚであるＣ１０１に記載の装置。
［Ｃ１０３］
前記送信されたＰＰＤＵは、１つの周波数セグメント、２つの隣接する周波数セグメント、又は４つの隣接する周波数セグメントを用いた送信と関連付けられるＣ１０１に記載の装置。
［Ｃ１０４］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１０１に記載の装置。
［Ｃ１０５］
非一時的なコンピュータによって読み取り可能な媒体であって、プロセッサによって実行されたときに、
テレビ（ＴＶ）高スループット（ＴＶＨＴ）帯域幅チャネルを介してのプロトコルデータユニット（ＰＰＤＵ）の送信を開始することを前記プロセッサに行わせる命令を備え、前記ＰＰＤＵの前記送信中に使用される無線周波数局部発振器（ＲＦ  ＬＯ）が前記ＴＶＨＴ帯域幅チャネルの中心にあるときには、分解能帯域幅を用いて前記ＴＶＨＴ帯域幅チャネルの前記中心で測定された電力は、前記送信されたＰＰＤＵの副搬送波当たりの平均電力よりも小さいか又はＰ−１０ｌｏｇ１０（ＮＳＴ）の値よりも小さく、ここで、Ｐは、総送信電力であり、ＮＳＴは、周波数セグメント当たりの副搬送波の数である、非一時的なコンピュータによって読み取り可能な媒体。
［Ｃ１０６］
前記送信されたＰＰＤＵは、１つの周波数セグメント、２つの隣接する周波数セグメント、又は４つの隣接する周波数セグメントを用いた送信と関連付けられるＣ１０５に記載の非一時的なコンピュータによって読み取り可能な媒体。
［Ｃ１０７］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１０５に記載の非一時的なコンピュータによって読み取り可能な媒体。
［Ｃ１０８］
方法であって、
テレビ（ＴＶ）高スループット（ＴＶＨＴ）帯域幅チャネルを介してプロトコルデータユニット（ＰＰＤＵ）を局から送信することを備え、前記ＰＰＤＵの送信中に使用される無線周波数局部発振器（ＲＦ  ＬＯ）がＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、方法。
［Ｃ１０９］
前記分解能帯域幅は、６／１４４メガヘルツ（ＭＨｚ）又は８／１４４ＭＨｚであるＣ１０８に記載の方法。
［Ｃ１１０］
前記送信されたＰＰＤＵは、１つの周波数セグメント、２つの隣接する周波数セグメント、又は４つの隣接する周波数セグメントを使用する送信と関連付けられるＣ１０８に記載の方法。
［Ｃ１１１］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１０８に記載の方法。
［Ｃ１１２］
デバイスであって、
プロトコルデータユニット（ＰＰＤＵ）の送信を開始するように構成されたプロセッサと、
テレビ（ＴＶ）高スループット（ＴＶＨＴ）帯域幅チャネルを介して前記ＰＰＤＵを送信するように構成された送信機と、を備え、前記ＰＰＤＵの前記送信中に使用される無線周波数局部発振器（ＲＦ  ＬＯ）が前記ＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、デバイス。
［Ｃ１１３］
前記分解能帯域幅は、６／１４４メガヘルツ（ＭＨｚ）又は８／１４４ＭＨｚであるＣ１１２に記載のデバイス。
［Ｃ１１４］
前記送信されたＰＰＤＵは、１つの周波数セグメント、２つの隣接する周波数セグメント、又は４つの隣接する周波数セグメントを使用する送信と関連付けられるＣ１１２に記載のデバイス。
［Ｃ１１５］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１１２に記載のデバイス。
［Ｃ１１６］
装置であって、
プロトコルデータユニット（ＰＰＤＵ）を生成するための手段と、
テレビ（ＴＶ）高スループット（ＴＶＨＴ）帯域幅チャネルを介して前記ＰＰＤＵを送信するための手段と、を備え、前記ＰＰＤＵの送信中に使用される無線周波数局部発振器（ＲＦ  ＬＯ）が前記ＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、装置。
［Ｃ１１７］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１１６に記載の装置。
［Ｃ１１８］
前記分解能帯域幅は、６／１４４メガヘルツ（ＭＨｚ）又は８／１４４ＭＨｚであるＣ１１６に記載の装置。
［Ｃ１１９］
非一時的なコンピュータによって読み取り可能な媒体であって、プロセッサによって実行されたときに、
テレビ（ＴＶ）高スループット（ＴＶＨＴ）帯域幅チャネルを介してのプロトコルデータユニット（ＰＰＤＵ）の送信を開始することを前記プロセッサに行わせる命令を備え、前記ＰＰＤＵの前記送信中に使用される無線周波数局部発振器（ＲＦ  ＬＯ）が前記ＴＶＨＴ帯域幅チャネルの中心にないときには、分解能帯域幅を用いて前記ＲＦ  ＬＯの位置で測定された電力は、−２０ｄＢｍの第１の値又は−３２デシベル（ｄＢ）と総送信電力の和に等しい第２の値のうちの大きい方よりも小さい、非一時的なコンピュータによって読み取り可能な媒体。
［Ｃ１２０］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１１９に記載の非一時的なコンピュータによって読み取り可能な媒体。
［Ｃ１２１］
前記送信されたＰＰＤＵは、１つの周波数セグメント、２つの隣接する周波数セグメント、又は４つの隣接する周波数セグメントを使用する送信と関連付けられるＣ１１９に記載の非一時的なコンピュータによって読み取り可能な媒体。
［Ｃ１２２］
方法であって、
テレビ（ＴＶ）高スループット（ＴＶＨＴ）帯域幅チャネルを介してプロトコルデータユニット（ＰＰＤＵ）を局から送信することを備え、前記送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを備える、方法。
［Ｃ１２３］
前記１つ以上のスペクトルマスクに関する制約事項は、米国電気電子学会（ＩＥＥＥ）８０２．１１ａｃ規格の送信スペクトルに関する節に含められるＣ１２２に記載の方法。
［Ｃ１２４］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１２２に記載の方法。
［Ｃ１２５］
デバイスであって、
プロトコルデータユニット（ＰＰＤＵ）の送信を開始するように構成されたプロセッサと、
テレビ（ＴＶ）高スループット（ＴＶＨＴ）帯域幅チャネルを介して前記ＰＰＤＵを送信するように構成された送信機と、を備え、前記送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを含む、デバイス。
［Ｃ１２６］
前記１つ以上のスペクトルマスクに関する制約事項は、米国電気電子学会（ＩＥＥＥ）８０２．１１ａｃ規格の送信スペクトルに関する節に含められるＣ１２５に記載のデバイス。
［Ｃ１２７］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１２５に記載のデバイス。
［Ｃ１２８］
装置であって、
プロトコルデータユニット（ＰＰＤＵ）を生成するための手段と、
テレビ（ＴＶ）高スループット（ＴＶＨＴ）帯域幅チャネルを介して前記ＰＰＤＵを送信するための手段と、を備え、前記送信されたＰＰＤＵが、２つの隣接しない周波数セグメント又は２つの隣接しない周波数セクションを用いる送信と関連付けられているとき及び無線周波数局部発振器（ＲＦ  ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを含む、装置。
［Ｃ１２９］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１２８に記載の装置。
［Ｃ１３０］
前記１つ以上のスペクトルマスクに関する制約事項は、米国電気電子学会（ＩＥＥＥ）８０２．１１ａｃ規格の送信スペクトルに関する節に含められるＣ１２８に記載の装置。
［Ｃ１３１］
非一時的なコンピュータによって読み取り可能な媒体であって、プロセッサによって実行されたときに、
テレビ（ＴＶ）高スループット（ＴＶＨＴ）帯域幅チャネルを介してのプロトコルデータユニット（ＰＰＤＵ）の送信を開始することを前記プロセッサに行わせる命令を備え、前記送信されたＰＰＤＵが、２つの隣接しない周波数セグメント又は２つの隣接しない周波数セクションを用いる送信と関連付けられているとき及び無線周波数局部発振器（ＲＦ
ＬＯ）が両方の隣接しない周波数セグメント又は両方の隣接しない周波数セクションの外側にあるときには、前記ＲＦ  ＬＯは、１つ以上のスペクトルマスクに関する制約事項に準拠し、前記２つの隣接しない周波数セクションの各周波数セクションは、２つの隣接する周波数セグメントを含む、非一時的なコンピュータによって読み取り可能な媒体。
［Ｃ１３２］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１３１に記載の非一時的なコンピュータによって読み取り可能な媒体。
［Ｃ１３３］
前記１つ以上のスペクトルマスクに関する制約事項は、米国電気電子学会（ＩＥＥＥ）８０２．１１ａｃ規格の送信スペクトルに関する節に含められるＣ１３１に記載の非一時的なコンピュータによって読み取り可能な媒体。
［Ｃ１３４］
方法であって、
超高スループット（ＶＨＴ）データシンボルを局から送信することを備え、テレビ（ＴＶ）高スループット（ＴＶＨＴ）帯域幅チャネルを介しての前記ＶＨＴデータシンボルの送信は、送信機コンステレーションエラー制約事項に準拠する送信コンステレーション二乗平均平方根（ＲＭＳ）エラーを有する、方法。
［Ｃ１３５］
前記送信機コンステレーションエラー制約事項は、米国電気電子学会（ＩＥＥＥ）８０２．１１ａｃ規格の送信機コンステレーションエラーに関する節に含められるＣ１３４に記載の方法。
［Ｃ１３６］
前記ＶＨＴデータシンボルの前記送信は、１つの周波数セグメント、２つの隣接する周波数セグメント、４つの隣接する周波数セグメント、２つの隣接しない周波数セグメント、又は２つの隣接しない周波数セクションを使用し、前記２つの隣接しない周波数セクションの各周波数セクションは、２つの隣接する周波数セグメントを備えるＣ１３４に記載の方法。
［Ｃ１３７］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１３４に記載の方法。
［Ｃ１３８］
前記ＶＨＴデータシンボルの前記送信が非高スループット（非ＨＴ）複製送信であるときには、前記送信と関連付けられたチャネル帯域幅の各１／２が、米国電気電子学会（ＩＥＥＥ）８０２．１１ｂ規格の送信機コンステレーションエラーに関する節に含まれている特定の送信機コンステレーションエラーに準拠するＣ１３４に記載の方法。
［Ｃ１３９］
デバイスであって、
超高スループット（ＶＨＴ）データシンボルの送信を開始するように構成されたプロセッサと、
テレビ（ＴＶ）高スループット（ＴＶＨＴ）帯域幅チャネルを介して前記ＶＨＴデータシンボルを送信するように構成された送信機と、を備え、前記ＴＶＨＴ帯域幅チャネルを介しての前記ＶＨＴデータシンボルの前記送信は、送信機コンステレーションエラー制約事項に準拠する送信コンステレーション二乗平均平方根（ＲＭＳ）エラーを有する、デバイス。
［Ｃ１４０］
前記送信機コンステレーションエラー制約事項は、米国電気電子学会（ＩＥＥＥ）８０２．１１ａｃ規格の送信機コンステレーションエラーに関する節に含められるＣ１３９に記載のデバイス。
［Ｃ１４１］
前記ＶＨＴデータシンボルの前記送信は、１つの周波数セグメント、２つの隣接する周波数セグメント、４つの隣接する周波数セグメント、２つの隣接しない周波数セグメント、又は２つの隣接しない周波数セクションを使用し、前記２つの隣接しない周波数セクションの各周波数セクションは、２つの隣接する周波数セグメントを備えるＣ１３９に記載のデバイス。
［Ｃ１４２］
前記ＶＨＴデータシンボルの前記送信が非高スループット（非ＨＴ）複製送信であるときには、前記送信と関連付けられたチャネル帯域幅の各１／２が、米国電気電子学会（ＩＥＥＥ）８０２．１１ｂ規格の送信機コンステレーションエラーに関する節に含まれている特定の送信機コンステレーションエラー制約事項に準拠するＣ１３９に記載のデバイス。
［Ｃ１４３］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１３９に記載のデバイス。
［Ｃ１４４］
装置であって、
超高スループット（ＶＨＴ）データシンボルを生成するための手段と、
テレビ（ＴＶ）高スループット（ＴＶＨＴ）帯域幅チャネルを介して前記ＶＨＴデータシンボルを送信するための手段と、を備え、前記ＴＶＨＴ帯域幅チャネルを介しての前記ＶＨＴデータシンボルの送信は、送信機コンステレーションエラー制約事項に準拠する送信コンステレーション二乗平均平方根（ＲＭＳ）エラーを有する、装置。
［Ｃ１４５］
前記送信機コンステレーションエラー制約事項は、米国電気電子学会（ＩＥＥＥ）８０２．１１ａｃ規格の送信機コンステレーションエラーに関する節に含められるＣ１４４に記載の装置。
［Ｃ１４６］
前記ＶＨＴデータシンボルの前記送信は、１つの周波数セグメント、２つの隣接する周波数セグメント、４つの隣接する周波数セグメント、２つの隣接しない周波数セグメント、又は２つの隣接しない周波数セクションを使用し、前記２つの隣接しない周波数セクションの各周波数セクションは、２つの隣接する周波数セグメントを備えるＣ１４４に記載の装置。
［Ｃ１４７］
非一時的なコンピュータによって読み取り可能な媒体であって、プロセッサによって実行されたときに、
テレビ（ＴＶ）高スループット（ＴＶＨＴ）帯域幅チャネルを介しての超高スループット（ＶＨＴ）データシンボルの送信を開始することを前記プロセッサに行わせる命令を備え、前記ＴＶＨＴ帯域幅チャネルを介しての前記ＶＨＴデータシンボルの前記送信は、送信機コンステレーションエラー制約事項に準拠する送信コンステレーション二乗平均平方根（ＲＭＳ）エラーを有する、非一時的なコンピュータによって読み取り可能な媒体。
［Ｃ１４８］
前記ＶＨＴデータシンボルの前記送信が非高スループット（非ＨＴ）複製送信であるときには、前記送信と関連付けられたチャネル帯域幅の各１／２が、米国電気電子学会（ＩＥＥＥ）８０２．１１ｂ規格の送信機コンステレーションエラーに関する節に含まれている特定の送信機コンステレーションエラー制約事項に準拠するＣ１４７に記載の非一時的なコンピュータによって読み取り可能な媒体。
［Ｃ１４９］
前記ＴＶＨＴ帯域幅チャネルは、６メガヘルツ（ＭＨｚ）帯域幅チャネル、７ＭＨｚ帯域幅チャネル、又は８ＭＨｚ帯域幅チャネルであるＣ１４７に記載の非一時的なコンピュータによって読み取り可能な媒体。
【国際調査報告】
2015528225.tif 000019
2015528225.tif 000020
2015528225.tif 000021
2015528225.tif 000022
2015528225.tif 000023
2015528225.tif 000024